(57)【要約】本発明の実施例は、信号スクランブリング、デスクランブリング方法と装置、デバイス、および記憶媒体を提供し、該信号スクランブリング方法は、第１伝送ノードは、送信する信号または信号グループをスクランブリングするための第１パラメータを確定することと、前記第１伝送ノードは、前記第１パラメータに基づいて前記信号または信号グループをスクランブリングすることと、前記第１伝送ノードは、スクランブリングした信号または信号グループを第２伝送ノードに送信し、一部または全ての前記第１パラメータを第１シグナリングにより前記第２伝送ノードに通知することとを含む。【選択図】図２
2021503837.tif 000002
【特許請求の範囲】
【請求項１】
第１伝送ノードは、送信する信号または信号グループをスクランブリングするための第１パラメータを確定することと、
前記第１伝送ノードは、前記第１パラメータに基づいて前記信号または信号グループをスクランブリングすることと、
前記第１伝送ノードは、スクランブリングした信号または信号グループを第２伝送ノードに送信し、一部または全ての前記第１パラメータを第１シグナリングにより前記第２伝送ノードに通知することと、
を含む、信号スクランブリング方法。
【請求項２】
前記第１伝送ノードが前記第１パラメータに基づいて信号または信号グループをスクランブリングすることは、
前記第１伝送ノードは、前記第１パラメータに基づいて信号または信号グループをスクランブリングするシーケンスを生成することと、
生成されたシーケンスに基づいて信号または信号グループをスクランブリングすることと、
を含む、請求項１に記載の信号スクランブリング方法。
【請求項３】
第１伝送ノードが送信する信号グループをスクランブリングするための第１パラメータを確定する前に、
前記第１伝送ノードは、送信する信号を、第１規則に従ってＸ（Ｘは１以上の整数である）個の信号グループに区分することを更に含む、請求項１に記載の信号スクランブリング方法。
【請求項４】
前記第１規則は、少なくとも、
信号に対応する伝送レイヤに従って区分することと、
信号に対応する復調パイロットに従って区分することと、
信号に対応する擬似コロケーションＱＣＬ関係に従って区分することと、
信号に対応するビームに従って区分することと、
信号に関連する位相雑音測定パイロットＰＴＲＳリソースに従って区分することと、
信号に含まれるコードブロック／ブロックグループ／伝送ブロック／コードワード（ＣＢ／ＣＢＧ／ＴＢ／ＣＷ）番号に従って区分することと、
信号が属するタイムユニット番号に従って区分することと、
信号が属する周波数領域リソースに従って区分することと、
信号が属するコード領域リソースに従って区分することと、
の１つを含む、請求項３に記載の信号スクランブリング方法。
【請求項５】
前記第１伝送ノードは、
前記第１伝送ノードと前記第２伝送ノードとの間に約束された規則に従って確定するという形態と、
前記第２伝送ノードのフィードバック情報に従って確定するという形態と、
前記第１伝送ノードの既知情報および前記第２伝送ノードのフィードバック情報に従って確定するという形態と、
前記第１伝送ノードの既知情報に従って確定するという形態と、
の１つの形態により、前記第１規則を確定する、請求項３に記載の信号スクランブリング方法。
【請求項６】
前記第１シグナリングが一部の前記第１パラメータを指示する場合に、１つの第１シグナリングは１つの第１パラメータを指示し、または１つのシグナリングは複数の第１パラメータを指示し、
残りの第１パラメータは、前記第１伝送ノードと前記第２伝送ノードとの間に約束された規則により確定され、または、
残りの第１パラメータは前記第２伝送ノードの既知情報であり、または、
残りの第１パラメータは前記第２伝送ノードのフィードバック情報であり、または、
前記第１シグナリングの送信は第２シグナリングによりオフにされる、請求項１に記載の信号スクランブリング方法。
【請求項７】
前記方法は、
前記第１伝送ノードおよび前記第２伝送ノードに約束された規則によりイネーブルされる形態の条件と、
前記第１シグナリングの送信が第２シグナリングによりイネーブルされる形態の条件と、
の１つの条件を満たした場合に、前記第１シグナリングは上記の１つの形態によりイネーブルされることを更に含む、請求項１に記載の信号スクランブリング方法。
【請求項８】
前記信号は、報知情報をキャリアした物理信号、データ情報をキャリアした物理信号、制御情報をキャリアした物理信号、およびパイロット信号の１つを含む、請求項１〜７のいずれか１項に記載の信号スクランブリング方法。
【請求項９】
前記第１パラメータは、
セル識別番号、ユーザ識別番号、ユーザグルーピング番号、コードワード番号、コードワードブロック、コードブロックグループ、スクランブリングコードシーケンス特徴パラメータ、タイムユニット番号、参照信号リソース番号、参照信号ポート番号、参照信号ポートグルーピング番号、および周波数領域リソース番号を含む、請求項１〜７のいずれか１項に記載の信号スクランブリング方法。
【請求項１０】
第１伝送ノードは、第２伝送ノードが送信する信号または信号グループをスクランブリングするための一部または全ての第１パラメータを第３シグナリングにより前記第２伝送ノードに通知することと、
前記第１伝送ノードは、前記第２伝送ノードから送信されたスクランブリングされた信号または信号グループを受信することと、
前記第１伝送ノードは、前記第１パラメータに基づいて前記第２伝送ノードから送信された信号または信号グループをデスクランブリングすることと、
を含む、信号デスクランブリング方法。
【請求項１１】
前記第１伝送ノードは、前記第１パラメータに基づいて前記第２伝送ノードから送信された信号または信号グループをデスクランブリングすることは、
前記第１伝送ノードは、前記第１パラメータに基づいて前記第２伝送ノードから送信された信号または信号グループをデスクランブリングするシーケンスを生成することと、
生成されたシーケンスに基づいて信号または信号グループをデスクランブリングすることと、
を含む、請求項１０に記載の信号デスクランブリング方法。
【請求項１２】
前記信号グループは、前記第２伝送ノードが、送信する信号を第１規則に従ってＹ（Ｙは１以上の整数である）個の信号グループを区分したものである、請求項１０に記載の信号デスクランブリング方法。
【請求項１３】
前記第３シグナリングが一部の前記第１パラメータを指示する場合に、１つの第３シグナリングは１つの第１パラメータを指示し、または１つの第３シグナリングは複数の第１パラメータを指示し、
残りの第１パラメータは、前記第１伝送ノードと前記第２伝送ノードとの間に約束された規則により確定され、または、
残りの第１パラメータは前記第２伝送ノードの既知情報であり、または、
残りの第１パラメータは前記第２伝送ノードのフィードバック情報であり、または、
前記第３シグナリングの送信は第４シグナリングによりオフにされる、請求項１０に記載の信号デスクランブリング方法。
【請求項１４】
前記第１伝送ノードが前記第１伝送ノードおよび前記第２伝送ノードに約束された規則によりイネーブルされる形態の条件と、
前記第３シグナリングの送信が第４シグナリングによりイネーブルされる形態の条件と、
の１つの条件を満たした場合に、前記第３シグナリングは上記の１つの形態によりイネーブルされることを更に含む、請求項１０に記載の信号デスクランブリング方法。
【請求項１５】
第２伝送ノードは、第１伝送ノードから送信された、第１パラメータに基づいてスクランブリングされた信号または信号グループを受信し、前記第１伝送ノードが第１シグナリングにより送信した一部または全ての前記第１パラメータを受信することと、
前記第２伝送ノードは、前記第１パラメータに基づいて受信した信号または信号グループをデスクランブリングすることと、
を含む、信号デスクランブリング方法。
【請求項１６】
前記第２伝送ノードは、前記第１パラメータに基づいて受信した信号または信号グループをデスクランブリングすることは、
前記第２伝送ノードは、前記第１パラメータに基づいて受信した信号または信号グループをデスクランブリングするシーケンスを生成することと、
生成されたシーケンスに基づいて信号または信号グループをデスクランブリングすることと、
を含む、請求項１５に記載の信号デスクランブリング方法。
【請求項１７】
前記信号グループは、前記第１伝送ノードが、送信する信号を第１規則に従ってＸ（Ｘは１以上の整数である）個の信号グループに区分したものである、請求項１５に記載の信号デスクランブリング方法。
【請求項１８】
前記第２伝送ノードは受信した第２シグナリングに基づいて、前記第１伝送ノードが前記第１シグナリングを送信するか否かを確定することを更に含む、請求項１５に記載の信号デスクランブリング方法。
【請求項１９】
前記第１シグナリングが一部の前記第１パラメータを指示する場合に、前記第２伝送ノードは、
前記第２伝送ノードが第１伝送ノードとの間に約束された規則により確定するという形態と、
前記第２伝送ノードが前記第１伝送ノードによる信号を送信する測定結果に基づいて確定するという形態と、
前記第２伝送ノードが前記第２伝送ノードのフィードバック情報に基づいて確定するという形態と、
前記第２伝送ノードがデバイスパラメータに基づいて確定するという形態と、
前記第２伝送ノードが前記第１伝送ノードのフィードバック情報に基づいて確定するという形態と、
の１つの形態により、残りの第１パラメータを確定することであって、１つの第１シグナリングは１つの第１パラメータを指示し、または１つのシグナリングは複数の第１パラメータを指示することを更に含む、請求項１５に記載の信号デスクランブリング方法。
【請求項２０】
第２伝送ノードは、第１伝送ノードが第３シグナリングにより送信した一部または全ての第１パラメータを受信することと、
前記第２伝送ノードは、前記第１パラメータに基づいて送信する信号または信号グループをスクランブリングすることと、
前記第２伝送ノードは、スクランブリングした信号または信号グループを前記第１伝送ノードに送信することと、
を含む、信号スクランブリング方法。
【請求項２１】
前記第２伝送ノードは、前記第１パラメータに基づいて送信する信号または信号グループをスクランブリングすることは、
前記第２伝送ノードは、前記第１パラメータに基づいて送信する信号または信号グループをスクランブリングするシーケンスを生成することと、
生成されたシーケンスに基づいて送信する信号または信号グループをスクランブリングすることと、
を含む、請求項２０に記載の信号スクランブリング方法。
【請求項２２】
前記第２伝送ノードは、送信する信号を第１規則に従ってＹ（Ｙは１以上の整数である）個の信号グループに区分することを更に含む、請求項２０に記載の信号スクランブリング方法。
【請求項２３】
前記第１規則は、少なくとも、
信号に対応する伝送レイヤに従って区分することと、
信号に対応する復調パイロットに従って区分することと、
信号に対応する擬似コロケーションＱＣＬ関係に従って区分することと、
信号に対応するビームに従って区分することと、
信号に関連する位相雑音測定パイロットＰＴＲＳリソースに従って区分することと、
信号に含まれるコードブロック／ブロックグループ／伝送ブロック／コードワード（ＣＢ／ＣＢＧ／ＴＢ／ＣＷ）番号に従って区分することと、
信号が属するタイムユニット番号に従って区分することと、
信号が属する周波数領域リソースに従って区分することと、
信号が属するコード領域リソースに従って区分することと、
の１つを含む、請求項２２に記載の信号スクランブリング方法。
【請求項２４】
前記第２伝送ノードは、
前記第１伝送ノードと前記第２伝送ノードとの間に約束された規則に従って確定するという形態と、
前記第２伝送ノードの測定に従って確定するという形態と、
前記第１伝送ノードから送信された第Ｘシグナリングに従って確定するという形態と、
により、前記第１規則を確定することを更に含む、請求項２２に記載の信号スクランブリング方法。
【請求項２５】
前記第２伝送ノードは受信した第４シグナリングに基づいて、前記第１伝送ノードが前記第３シグナリングを送信するか否か確定することを更に含む、請求項２０に記載の信号スクランブリング方法。
【請求項２６】
前記第３シグナリングが一部の前記第１パラメータを指示する場合に、前記第２伝送ノードは、
前記第２伝送ノードが第１伝送ノードとの間に約束された規則により確定するという形態と、
前記第２伝送ノードが前記第１伝送ノードによる信号を送信する測定結果に基づいて確定するという形態と、
前記第２伝送ノードがデバイスパラメータに基づいて確定するという形態と、
前記第２伝送ノードが前記第１伝送ノードのフィードバック情報に基づいて確定するという形態と、
の１つの形態により、残りの第１パラメータを確定することであって、１つの第３シグナリングは１つの第１パラメータを指示し、または１つの第３シグナリングは複数の第１パラメータを指示することを更に含む、請求項２０に記載の信号スクランブリング方法。
【請求項２７】
第１伝送ノードに適用される信号スクランブリング装置であって、
送信する信号または信号グループをスクランブリングするための第１パラメータを確定するように構成される確定モジュールと、
前記第１パラメータに基づいて前記信号または信号グループをスクランブリングするように構成される第１スクランブリングモジュールと、
スクランブリングした信号または信号グループを第２伝送ノードに送信し、一部または全ての前記第１パラメータを第１シグナリングにより前記第２伝送ノードに通知するように構成される第１送信モジュールと、
を備える、信号スクランブリング装置。
【請求項２８】
第１伝送ノードに適用される信号デスクランブリング装置であって、
第２伝送ノードが送信する信号または信号グループをスクランブリングするための一部または全ての第１パラメータを第３シグナリングにより前記第２伝送ノードに通知するように構成される通知モジュールと、
前記第２伝送ノードから送信されたスクランブリングされた信号または信号グループを受信するように構成される第１受信モジュールと、
前記第１パラメータに基づいて前記第２伝送ノードから送信された信号または信号グループをデスクランブリングするように構成される第１デスクランブリングモジュールと、
を備える、信号デスクランブリング装置。
【請求項２９】
第２伝送ノードに適用される信号デスクランブリング装置であって、
第１伝送ノードから送信された、第１パラメータに基づいてスクランブリングされた信号または信号グループを受信し、前記第１伝送ノードが第１シグナリングにより送信した一部または全ての前記第１パラメータを受信するように構成される第２受信モジュールと、
前記第１パラメータに基づいて受信した信号または信号グループをデスクランブリングするように構成される第２デスクランブリングモジュールと、
を備える、信号デスクランブリング装置。
【請求項３０】
第２伝送ノードに適用される信号スクランブリング装置であって、
第１伝送ノードが第３シグナリングにより送信した一部または全ての第１パラメータを受信するように構成される第３受信モジュールと、
前記第１パラメータに基づいて送信する信号または信号グループをスクランブリングするように構成される第２スクランブリングモジュールと、
スクランブリングした信号または信号グループを前記第１伝送ノードに送信するように構成される第２送信モジュールと、
を備える、信号スクランブリング装置。
【請求項３１】
記憶されたプログラムを含む記憶媒体であって、
プログラムが作動されると、請求項１〜９、１０〜１４、１５〜１９、２０〜２６のいずれか１項に記載の方法を実行する、記憶媒体。
【請求項３２】
メモリとプロセッサとを備える信号スクランブリングまたはデスクランブリングデバイスであって、前記メモリにプロセッサで作動可能なコンピュータプログラムが記憶され、前記プロセッサは、前記プログラムを実行すると、請求項１〜９、１０〜１４、１５〜１９、２０〜２６のいずれか１項に記載の方法を実現する、信号スクランブリングまたはデスクランブリングデバイス。
【発明の詳細な説明】
【関連出願の相互参照】
【０００１】
本出願は、出願番号が２０１７１１１４７２０２．９で、出願日が２０１７年１１月１７日である中国特許出願に基づいて出願され、該中国特許出願に対して優先権の利益を主張するものであり、該中国特許出願の全ての内容を引用により本出願に援用する。
【技術分野】
【０００２】
本発明は通信分野に関し、具体的には、信号スクランブリング、デスクランブリング方法と装置、デバイス、および記憶媒体に関する。
【背景技術】
【０００３】
第５世代移動通信の開始に伴い、単一局マルチビームおよび複数局マルチビーム共伝送は、次世代無線通信システムの核心となる。それと同時に、従来の強化されたモバイルブロードバンド（Ｅｎｈａｎｃｅ  Ｍｏｂｉｌｅ  Ｂｒｏａｄｂａｎｄ、ｅＭＢＢ）サービスと他のモノのインターネット（Ｉｎｔｅｒｎｅｔ  ｏｆ  Ｔｈｉｎｇｓ、ＩｏＴ）に関連するサービス（ｅ．ｇ．，低遅延、高信頼通信（Ｕｌｔｒａ  Ｒｅｌｉａｂｌｅ  ＆  Ｌｏｗ  Ｌａｔｅｎｃｙ  Ｃｏｍｍｕｎｉｃａｔｉｏｎ、ＵＲＬＬＣ））との共存も、第５世代（５ｔｈ  Ｇｅｎｅｒａｔｉｏｎ、５Ｇ）通信の輝点となる。
【０００４】
しかし、上記特徴も、伝送信号の間の干渉無作為化に新たな調整を提案する。具体的には、高周波のカバレッジが限られることを考慮し、密集したステーション配布はセル識別（Ｉｄｅｎｔｉｔｙ、ＩＤ）を増加する。それと同時に、複数種類の端末（Ｕｓｅｒ  Ｅｑｕｉｐｍｅｎｔ、ＵＥ）を同時にアクセスする必要があるため、従来のＵＥおよびセルＩＤのスクランブリングシーケンスの生成形態に基づいて選択されたシーケンス自体の長さに厳しい要求が課されている。また、単一局／複数局／マルチビームのジョイント伝送での異なるチャネルの非理想的特性を考慮すると、マルチレイヤ伝送における各レイヤグループの間の干渉は大きくなる。これらの問題をどのように効果的に解決して現在システムのスペクトル効率を向上させるかは、現在早急に解決すべき問題となっている。
【０００５】
関連技術における従来伝送ノード間の信号スクランブリング形態が伝送信号間の干渉の増加を効果的に抑制できないという問題については、解決手段が未だに提供されていない。
【発明の概要】
【発明が解決しようとする課題】
【０００６】
本発明の実施例は、信号スクランブリング、デスクランブリング方法と装置、デバイス、および記憶媒体を提供する。
【課題を解決するための手段】
【０００７】
本発明の１つの実施例によれば、
第１伝送ノードは、送信する信号または信号グループをスクランブリングするための第１パラメータを確定することと、
前記第１伝送ノードは、前記第１パラメータに基づいて前記信号または信号グループをスクランブリングすることと、
前記第１伝送ノードは、スクランブリングした信号または信号グループを第２伝送ノードに送信し、一部または全ての前記第１パラメータを第１シグナリングにより前記第２伝送ノードに通知することと、
を含む信号スクランブリング方法を提供する。
【０００８】
本発明の別の実施例によれば、
第１伝送ノードは、第２伝送ノードが送信する信号または信号グループをスクランブリングするための一部または全ての第１パラメータを第３シグナリングにより前記第２伝送ノードに通知することと、
前記第１伝送ノードは、前記第２伝送ノードから送信されたスクランブリングされた信号または信号グループを受信することと、
前記第１伝送ノードは、前記第１パラメータに基づいて前記第２伝送ノードから送信された信号または信号グループをデスクランブリングすることと、
を含む、信号デスクランブリング方法を更に提供する。
【０００９】
本発明の別の実施例によれば、
第２伝送ノードは、第１伝送ノードから送信された、第１パラメータに基づいてスクランブリングされた信号または信号グループを受信し、前記第１伝送ノードが第１シグナリングにより送信した一部または全ての前記第１パラメータを受信することと、
前記第２伝送ノードは、前記第１パラメータに基づいて受信した信号または信号グループをデスクランブリングすることと、
を含む信号デスクランブリング方法を更に提供する。
【００１０】
本発明の実施例の別の態様によれば、
第２伝送ノードは、第１伝送ノードが第３シグナリングにより送信した一部または全ての第１パラメータを受信することと、
前記第２伝送ノードは、前記第１パラメータに基づいて送信する信号または信号グループをスクランブリングすることと、
前記第２伝送ノードは、スクランブリングした信号または信号グループを前記第１伝送ノードに送信することと、
を含む信号スクランブリング方法を更に提供する。
【００１１】
本発明の別の実施例によれば、
第１伝送ノードに適用される信号スクランブリング装置であって、
送信する信号または信号グループをスクランブリングするための第１パラメータを確定するように構成される確定モジュールと、
前記第１パラメータに基づいて前記信号または信号グループをスクランブリングするように構成される第１スクランブリングモジュールと、
スクランブリングした信号または信号グループを第２伝送ノードに送信し、一部または全ての前記第１パラメータを第１シグナリングにより前記第２伝送ノードに通知するように構成される第１送信モジュールと、
を備える信号スクランブリング装置を更に提供する。
【００１２】
本発明の別の実施例によれば、
第１伝送ノードに適用される信号デスクランブリング装置であって、
第２伝送ノードが送信する信号または信号グループをスクランブリングするための一部または全ての第１パラメータを第３シグナリングにより前記第２伝送ノードに通知するように構成される通知モジュールと、
前記第２伝送ノードから送信されたスクランブリングされた信号または信号グループを受信するように構成される第１受信モジュールと、
前記第１パラメータに基づいて前記第２伝送ノードから送信された信号または信号グループをデスクランブリングするように構成される第１デスクランブリングモジュールと、
を備える信号デスクランブリング装置を更に提供する。
【００１３】
本発明の更なる実施例によれば、
第２伝送ノードに適用される信号デスクランブリング装置であって、
第１伝送ノードから送信された、第１パラメータに基づいてスクランブリングされた信号または信号グループを受信し、前記第１伝送ノードが第１シグナリングにより送信した一部または全ての前記第１パラメータを受信するように構成される第２受信モジュールと、
前記第１パラメータに基づいて受信した信号または信号グループをデスクランブリングするように構成される第２デスクランブリングモジュールと、
を備える信号デスクランブリング装置を更に提供する。
【００１４】
本発明の更なる実施例によれば、
第２伝送ノードに適用される信号スクランブリング装置であって、
第１伝送ノードが第３シグナリングにより送信した一部または全ての第１パラメータを受信するように構成される第３受信モジュールと、
前記第１パラメータに基づいて送信する信号または信号グループをスクランブリングするように構成される第２スクランブリングモジュールと、
スクランブリングした信号または信号グループを前記第１伝送ノードに送信するように構成される第２送信モジュールと、
を備える信号スクランブリング装置を更に提供する。
【００１５】
本発明の更なる実施例によれば、記憶されたプログラムを含む記憶媒体であって、プログラムが作動されると、上記いずれか１項に記載の方法を実行する記憶媒体を更に提供する。
【００１６】
本発明の更なる実施例によれば、メモリとプロセッサとを備える信号スクランブリングまたはデスクランブリングデバイスであって、前記メモリにプロセッサで作動可能なコンピュータプログラムが記憶され、前記プロセッサは、前記プログラムを実行すると、前記方法を実現する信号スクランブリングまたはデスクランブリングデバイスを更に提供する。
【発明の効果】
【００１７】
本発明の実施例により、伝送ノードの間でシグナリングにより信号をスクランブリングするためのパラメータを送信し、伝送ノードは現在の確定されたパラメータに基づき、送信データをスクランブリングしたり受信データをデスクランブリングしたりするため、関連技術における従来の伝送ノード間における信号スクランブリング形態が伝送信号間の干渉の増加を効果的に抑制できないという問題を解決し、伝送信号間の干渉を低減し、ユーザーエクスペリエンスを向上させる。
【図面の簡単な説明】
【００１８】
ここで説明する図面は、本発明に対する更なる理解を提供するためのものであり、本出願の一部を構成し、本発明の模式的な実施例およびその説明は、本発明を解釈するためのものであり、本発明を限定するものではない。
【００１９】
【図１】本発明の実施例の信号スクランブリング方法の移動端末のハードウェアの構造ブロック図である。
【図２】本発明の実施例による信号スクランブリング方法のフローチャート１である。
【図３】本発明の実施例による信号デスクランブリング方法のフローチャート１である。
【図４】本発明の実施例による信号デスクランブリング方法のフローチャート２である。
【図５】本発明の実施例による信号スクランブリング方法のフローチャート２である。
【図６】本発明の実施例による通信ノード間で信号をスクランブリング／デスクランブリングするフローチャート１である。
【図７】本発明の実施例による通信ノード間で信号をスクランブリング／デスクランブリングするフローチャート２である。
【図８】本発明の実施例による通信ノード間で信号をグルーピングおよびスクランブリングするフローチャートである。
【図９】本発明の実施例による信号スクランブリング装置のブロック図１である。
【図１０】本発明の実施例による信号デスクランブリング装置のブロック図１である。
【図１１】本発明の実施例による信号デスクランブリング装置のブロック図２である。
【図１２】本発明の実施例による信号スクランブリング装置のブロック図２である。
【発明を実施するための形態】
【００２０】
以下、図面および実施例を参照しながら本発明について詳細に説明する。なお、矛盾しない限り、本出願における実施例と実施例における特徴は、互いに任意に組み合わせることができる。
【００２１】
なお、本発明の明細書、特許請求の範囲および上記図面における「第１」、「第２」という用語等は、類似する対象を区別するためのものであり、必ずしも特定の順序や優先順位を記述するためのものではない。
【実施例１】
【００２２】
本出願の実施例１に係る方法の実施例は、移動端末、コンピュータ端末または類似する演算装置で実行できる。移動端末で作動することを例とし、図１は本発明の実施例の信号スクランブリング方法の移動端末のハードウェアの構造ブロック図である。図１に示すように、移動端末１０は、１つまたは２つ（図において１つのみが示される）のプロセッサ１０２（プロセッサ１０２はマイクロプロセッサ（ＭＣＵ）またはプログラマブルロジック素子（ＦＰＧＡ）等の処理装置を含んでもよいが、これらに限定されない）、データを記憶するためのメモリ１０４、および通信機能のための伝送装置１０６を含んでもよい。当業者は、図１に示す構造は模式的なものに過ぎず、上記電子装置の構造を限定するものではないことを理解できる。例えば、移動端末１０は図１に示す構造よりも多いまたは少ない構成要素を含んでもよく、または図１に示す構造と異なる配置を有してもよい。
【００２３】
メモリ１０４は、本発明の実施例におけるデータ伝送方法に対応するプログラム命令／モジュールのようなアプリケーションのソフトウェアプログラムおよびモジュールを記憶するために使用でき、プロセッサ１０２は、メモリ１０４内に記憶されたソフトウェアプログラムおよびモジュールを作動させることにより、様々な機能アプリケーションおよびデータ処理を実行し、すなわち、上記方法を実現する。メモリ１０４は高速ランダムアクセスメモリを含んでもよく、１つまたは２つの磁気記憶装置、フラッシュメモリ、または他の不揮発性固体メモリのような不揮発性メモリを含んでもよい。いくつかの実例において、メモリ１０４はプロセッサ１０２に対して遠隔に設けられたメモリを更に含んでもよく、これらの遠隔メモリは、ネットワークを介して移動端末１０に接続できる。上記ネットワークの実例は、インターネット、イントラネット、ローカルエリアネットワーク、移動通信ネットワークおよびその組み合わせを含んでもよいが、これらに限定されない。
【００２４】
伝送装置１０６は、１つのネットワークを介してデータを受信または送信するために用いられる。上記のネットワークの具体的な実例は、移動端末１０の通信事業者が提供する無線ネットワークを含んでもよい。１つの実例において、伝送装置１０６は、基地局を介して他のネットワークデバイスに接続できてインターネットと通信できるネットワークアダプタ（Ｎｅｔｗｏｒｋ  Ｉｎｔｅｒｆａｃｅ  Ｃｏｎｔｒｏｌｌｅｒ、ＮＩＣ）を１つ含む。１つの実例において、伝送装置１０６は無線周波数（Ｒａｄｉｏ  Ｆｒｅｑｕｅｎｃｙ、ＲＦ）モジュールであってもよく、無線によりインターネットと通信するために用いられる。
【００２５】
上記移動端末に基づき、本発明の実施例は信号スクランブリング方法を提供し、図２は本発明の実施例による信号スクランブリング方法のフローチャート１であり、図２に示すように、以下のステップを含む。
【００２６】
ステップＳ２０２において、第１伝送ノードは、送信する信号または信号グループをスクランブリングするための第１パラメータを確定する。
【００２７】
ステップＳ２０４、前記第１伝送ノードは、前記第１パラメータに基づいて前記信号または信号グループをスクランブリングする。
【００２８】
ステップＳ２０６、前記第１伝送ノードは、スクランブリングした信号または信号グループを第２伝送ノードに送信し、一部または全ての前記第１パラメータを第１シグナリングにより前記第２伝送ノードに通知する。
【００２９】
他の実施例において、前記第１伝送ノードが前記第１パラメータに基づいて信号または信号グループをスクランブリングすることは、前記第１伝送ノードは、前記第１パラメータに基づいて信号または信号グループをスクランブリングするシーケンスを生成することと、生成されたシーケンスに基づいて信号または信号グループをスクランブリングすることとを含む。
【００３０】
他の実施例において、第１伝送ノードが送信する信号グループをスクランブリングするための第１パラメータを確定する前に、前記方法は、前記第１伝送ノードが、送信する信号を第１規則に従ってＸ個の信号グループに区分することを更に含み、ここで、Ｘは１以上の整数である。
【００３１】
他の実施例において、前記第１規則は、少なくとも以下の１つを含む。
【００３２】
信号に対応する伝送レイヤに従って区分する。
他の実施例において、レイヤマッピング過程で、同一レイヤにマッピングされたデータを１グループに分け、
他の実施例において、同一クループに分けられた信号は１つのレイヤ（またはデータストリーム）インデックスを共有し、スクランブリングコードを生成する時に該インデックスを使用する。
【００３３】
信号に対応する復調パイロットに従って区分する。
他の実施例において、同じ復調パイロットリソース（時間領域／周波数領域／コード領域／ポートを含む）に対応する信号を１グループに分け、
他の実施例において、同一クループに分けられた信号は１つの復調パイロットリソース（時間領域／周波数領域／コード領域／ポートを含む）インデックスを共有し、スクランブリングを生成する時に該インデックスを使用し、
他の実施例において、同一復調パイロットリソースグループ（時間領域／周波数領域／コード領域／ポートを含むグループ）に対応する信号を１グループに分け、
他の実施例において、コード領域は周波数領域直交シンボル、時間領域直交シンボルまたは両者の併用であってもよく、
他の実施例において、復調パイロットリソースグループの区分は上位層シグナリングの通知に応じてもよく、
他の実施例において、好ましくは、復調パイロットリソースグループの区分は基地局と端末の約束関係に応じてもよく、
他の実施例において、同一クループに分けられた信号は１つの復調パイロットリソースグループ（時間領域／周波数領域／コード領域／ポートを含むグループ）インデックスを共有し、スクランブリングコードを生成する時に該インデックスを使用する。
【００３４】
信号に対応する擬似コロケーション（Ｑｕａｓｉ  ｃｏ−ｌｏｃａｔｉｏｎ、ＱＣＬ）関係に従って区分する。
他の実施例において、送信信号の復調パイロット信号の間に擬似コロケーションが存在すると、これらの信号を１グループに分けてもよい。
【００３５】
信号に対応するビームに従って区分する。
他の実施例において、送信信号が同一のアナログまたはデジタルまたはアナログデジタル混合ビームにより送信されると、これらの信号を１グループに分けてもよく、
他の実施例において、同一クループに分けられた信号は１つのアナログまたはデジタルまたはアナログデジタル混合ビームインデックスを共有し、スクランブリングコードを生成する時に該インデックスを使用する。
【００３６】
信号に関連する位相雑音測定パイロット（ｐｈａｓｅ  ｔｒａｃｋｉｎｇ  Ｒｅｆｅｒｅｎｃｅ  ｓｉｇｎａｌ、ＰＴＲＳ）リソースに従って区分する。
他の実施例において、送信信号が同じ位相雑音測定パイロットリソース（時間領域／周波数領域／コード領域／ポートを含む）に対応すると、これらの信号を１グループに分けてもよく、
他の実施例において、同一クループに分けられた信号は１つの位相雑音測定パイロットリソース（時間領域／周波数領域／コード領域／ポートを含む）インデックスを共有し、スクランブリングコードを生成する時に該インデックスを使用する。
【００３７】
信号に含まれるコードブロック（ｃｏｄｅ  ｂｌｏｃｋ、ＣＢ）／コードブロックグループ（ｃｏｄｅ  ｂｌｏｃｋ  ｇｒｏｕｐ、ＣＢＧ）／伝送ブロック（Ｔｒａｎｓｍｉｓｓｉｏｎ  ｂｌｏｃｋ、ＴＢ）／コードワード（Ｃｏｄｅ  ｗｏｒｄ、ＣＷ）番号に従って区分する。
他の実施例において、送信信号が同一のコードブロック／伝送ブロック／コードブロックグループ／伝送ブロック／コードワードに由来すると、これらの信号を１グループに分け、
他の実施例において、同一クループに分けられた信号は１つのコードブロック／伝送ブロック／コードブロックグループ／伝送ブロック／コードワードインデックスを共有し、スクランブリングコードを生成する時に該インデックスを使用する。
【００３８】
信号が属するタイムユニット番号に従って区分する。
他の実施例において、送信信号が同じ時間領域リソースを占有すると、これらの信号を１グループに分け、
他の実施例において、該時間領域リソースは信号自体が占有するタイムユニット番号のリソースであってもよく、
他の実施例において、同一クループに分けられた信号は１つの時間領域リソースインデックスを共有し、スクランブリングコードを生成する時に該インデックスを使用する。
【００３９】
信号が属する周波数領域リソースに従って区分する。
他の実施例において、送信信号が同じ周波数領域リソースを占有すると、これらの信号を１グループに分け、
他の実施例において、同一クループに分けられた信号は１つの周波数領域源インデックスを共有し、スクランブリングコードを生成する時に該インデックスを使用する。
【００４０】
信号が属するコード領域リソースに従って区分する。
他の実施例において、送信信号が同じコード領域リソースを占有すると、これらの信号を１グループに分け、
他の実施例において、同一クループに分けられた信号は１つのコード領域リソースインデックスを共有し、スクランブリングコードを生成する時に該インデックスを使用する。
【００４１】
他の実施例において、前記第１伝送ノードは、
前記第１伝送ノードと前記第２伝送ノードとの間に約束された規則に従って確定するという形態と、
前記第２伝送ノードのフィードバック情報に従って確定するという形態と、
前記第１伝送ノードの既知情報および前記第２伝送ノードのフィードバック情報に従って確定するという形態と、
前記第１伝送ノードの既知情報に従って確定するという形態と、
の１つの形態により前記第１規則を確定する。
【００４２】
他の実施例において、前記第１シグナリングが一部の前記第１パラメータを指示する場合に、１つの第１シグナリングは１つの第１パラメータを指示し、または１つのシグナリングは複数の第１パラメータを指示する。
【００４３】
残りの第１パラメータは、前記第１伝送ノードと前記第２伝送ノードとの間に約束された規則により確定され、または、残りの第１パラメータは前記第２伝送ノードの既知情報であり、または、残りの第１パラメータは前記第２伝送ノードのフィードバック情報であり、または、前記第１シグナリングの送信は第２シグナリングによりオフにされる。
【００４４】
他の実施例において、前記方法は、前記第１伝送ノードおよび前記第２伝送ノードに約束された規則によりイネーブルされる形態の条件と、前記第１シグナリングの送信が第２シグナリングによりイネーブルされる形態の条件との１つの条件を満たした場合に、前記第１シグナリングは上記の１つの形態によりイネーブルされることを更に含む。
【００４５】
他の実施例において、前記第２シグナリングは、ＲＲＣシグナリング、ＭＡＣ、シングルレベル物理層シグナリング、およびマルチレベル物理層シグナリングの少なくとも１つを含む。
【００４６】
他の実施例において、前記信号は、報知情報をキャリアした物理信号、データ情報をキャリアした物理信号、制御情報をキャリアした物理信号、およびパイロット信号の１つを含む。
【００４７】
他の実施例において、前記第１パラメータは、セル識別番号、ユーザ識別番号、ユーザグルーピング番号、コードワード番号、コードワードブロック、コードブロックグループ、スクランブリングコードシーケンス特徴パラメータ、タイムユニット番号、参照信号リソース番号、参照信号ポート番号、参照信号ポートグルーピング番号、および周波数領域リソース番号を含む。
【００４８】
他の実施例において、前記第１シグナリングは、ＲＲＣシグナリング、ＭＡＣ、シングルレベル物理層シグナリング、およびマルチレベル物理層シグナリングの少なくとも１つを含む。
【実施例２】
【００４９】
本発明の別の実施例によれば、信号デスクランブリング方法を更に提供し、図３は本発明の実施例による信号デスクランブリング方法のフローチャート１であり、図３に示すように、以下のステップを含む。
【００５０】
ステップＳ３０２において、第１伝送ノードは、第２伝送ノードが送信する信号または信号グループをスクランブリングするための一部または全ての第１パラメータを第３シグナリングにより前記第２伝送ノードに通知する。
【００５１】
ステップＳ３０４において、前記第１伝送ノードは、前記第２伝送ノードから送信されたスクランブリングされた信号または信号グループを受信する。
【００５２】
ステップＳ３０６において、前記第１伝送ノードは、前記第１パラメータに基づいて前記第２伝送ノードから送信された信号または信号グループをデスクランブリングする。
【００５３】
他の実施例において、前記第１伝送ノードは、前記第１パラメータに基づいて前記第２伝送ノードから送信された信号または信号グループをデスクランブリングすることは、前記第１伝送ノードは、前記第１パラメータに基づいて前記第２伝送ノードから送信された信号または信号グループをデスクランブリングするシーケンスを生成することと、生成されたシーケンスに基づいて信号または信号グループをデスクランブリングすることとを含む。
【００５４】
他の実施例において、前記信号グループは、前記第２伝送ノードが、送信する信号を第１規則に従ってＹ個の信号グループを区分したものであり、ここで、Ｙは１以上の整数である。
【００５５】
他の実施例において、前記第１規則は、少なくとも、
信号に対応する伝送レイヤに従って区分することと、
信号に対応する復調パイロットに従って区分することと、
信号に対応するＱＣＬ関係に従って区分することと、
信号に対応するビームに従って区分することと、
信号に関連するＰＴＲＳリソースに従って区分することと、
信号に含まれるＣＢ／ＣＢＧ／ＴＢ番号に従って区分することと、
信号が属するタイムユニット番号に従って区分することと、
信号が属する周波数領域リソースに従って区分することと、
信号が属するコード領域リソースに従って区分することと、
の１つを含む。
【００５６】
他の実施例において、前記第３シグナリングが一部の前記第１パラメータを指示する場合に、１つの第３シグナリングは１つの第１パラメータを指示し、または１つの第３シグナリングは複数の第１パラメータを指示する。
【００５７】
残りの第１パラメータは、前記第１伝送ノードと前記第２伝送ノードとの間に約束された規則により確定され、または、残りの第１パラメータは前記第２伝送ノードの既知情報であり、または、残りの第１パラメータは前記第２伝送ノードのフィードバック情報であり、または、前記第３シグナリングの送信は第４シグナリングによりオフにされる。
【００５８】
他の実施例において、前記方法は、前記第１伝送ノード前記第１伝送ノードおよび前記第２伝送ノードに約束された規則によりイネーブルされる形態の条件と、前記第３シグナリングの送信が第４シグナリングによりイネーブルされる形態の条件との１つの条件を満たした場合に、前記第３シグナリングは上記の１つの形態によりイネーブルされることを更に含む。
【００５９】
他の実施例において、前記第４シグナリングは、ＲＲＣシグナリング、ＭＡＣ、シングルレベル物理層シグナリング、およびマルチレベル物理層シグナリングの少なくとも１つを含む。
【００６０】
他の実施例において、前記信号は、報知情報をキャリアした物理信号、データ情報をキャリアした物理信号、制御情報をキャリアした物理信号、およびパイロット信号の１つを含む。
【００６１】
他の実施例において、前記第１パラメータは、セル識別番号、ユーザ識別番号、ユーザグルーピング番号、コードワード番号、コードワードブロック、コードブロックグループ、スクランブリングコードシーケンス特徴パラメータ、タイムユニット番号、参照信号リソース番号、参照信号ポート番号、参照信号ポートグルーピング番号、および周波数領域リソース番号を含む。
【００６２】
他の実施例において、前記第３シグナリングは、ＲＲＣシグナリング、ＭＡＣ、シングルレベル物理層シグナリング、およびマルチレベル物理層シグナリングの少なくとも１つを含む。
【実施例３】
【００６３】
本発明の別の実施例によれば、信号デスクランブリング方法を更に提供し、図４は本発明の実施例による信号デスクランブリング方法のフローチャート２であり、図４に示すように、以下のステップを含む。
【００６４】
ステップＳ４０２において、第２伝送ノードは、第１伝送ノードから送信された、第１パラメータに基づいてスクランブリングされた信号または信号グループを受信し、前記第１伝送ノードが第１シグナリングにより送信した一部または全ての前記第１パラメータを受信する。
【００６５】
ステップＳ４０４において、前記第２伝送ノードは、前記第１パラメータに基づいて受信した信号または信号グループをデスクランブリングする。
【００６６】
他の実施例において、前記第２伝送ノードは、前記第１パラメータに基づいて受信した信号または信号グループをデスクランブリングすることは、前記第２伝送ノードは、前記第１パラメータに基づいて受信した信号または信号グループをデスクランブリングするシーケンスを生成することと、生成されたシーケンスに基づいて信号または信号グループをデスクランブリングすることとを含む。
【００６７】
他の実施例において、前記信号グループは、前記第１伝送ノードが、送信する信号を第１規則に従ってＸ個の信号グループに区分したものであり、ここで、Ｘは１以上の整数である。
【００６８】
他の実施例において、前記第１規則は、少なくとも、
信号に対応する伝送レイヤに従って区分することと、
信号に対応する復調パイロットに従って区分することと、
信号に対応するＱＣＬ関係に従って区分することと、
信号に対応するビームに従って区分することと、
信号に関連するＰＴＲＳリソースに従って区分することと、
信号に含まれるＣＢ／ＣＢＧ／ＴＢ番号に従って区分することと、
信号が属するタイムユニット番号に従って区分することと、
信号が属する周波数領域リソースに従って区分することと、
信号が属するコード領域リソースに従って区分することと、
の１つを含む。
【００６９】
他の実施例において、前記方法は、前記第２伝送ノードが受信した第２シグナリングに基づいて、前記第１伝送ノードが前記第１シグナリングを送信するか否かを確定することを更に含む。
【００７０】
他の実施例において、前記第２シグナリングは、ＲＲＣシグナリング、ＭＡＣ、シングルレベル物理層シグナリング、およびマルチレベル物理層シグナリングの少なくとも１つを含む。
【００７１】
他の実施例において、前記方法は、
前記第１シグナリングが一部の前記第１パラメータを指示する場合に、前記第２伝送ノードが、
前記第２伝送ノードが第１伝送ノードとの間に約束された規則により確定するという形態と、
前記第２伝送ノードが前記第１伝送ノードによる信号を送信する測定結果に基づいて確定するという形態と、
前記第２伝送ノードが前記第２伝送ノードのフィードバック情報に基づいて確定するという形態と、
前記第２伝送ノードがデバイスパラメータに基づいて確定するという形態と、
前記第２伝送ノードが前記第１伝送ノードのフィードバック情報に基づいて確定するという形態と、
の１つの形態により、残りの第１パラメータを確定することであって、１つの第１シグナリングは１つの第１パラメータを指示し、または１つのシグナリングは複数の第１パラメータを指示することを更に含む。
【００７２】
他の実施例において、前記信号は、報知情報をキャリアした物理信号、データ情報をキャリアした物理信号、制御情報をキャリアした物理信号、およびパイロット信号の１つを含む。
【００７３】
他の実施例において、前記第１パラメータは、セル識別番号、ユーザ識別番号、ユーザグルーピング番号、コードワード番号、コードワードブロック、コードブロックグループ、スクランブリングコードシーケンス特徴パラメータ、タイムユニット番号、参照信号リソース番号、参照信号ポート番号、参照信号ポートグルーピング番号、および周波数領域リソース番号を含む。
【００７４】
他の実施例において、前記第１シグナリングは、ＲＲＣシグナリング、ＭＡＣ、シングルレベル物理層シグナリング、およびマルチレベル物理層シグナリングの少なくとも１つを含む。
【実施例４】
【００７５】
本発明の実施例の別の態様によれば、信号スクランブリング方法を更に提供し、図５は本発明の実施例による信号スクランブリング方法のフローチャート２であり、図５に示すように、以下のステップを含む。
【００７６】
ステップＳ５０２において、第２伝送ノードは、第１伝送ノードが第３シグナリングにより送信した一部または全ての第１パラメータを受信する。
【００７７】
ステップＳ５０４において、前記第２伝送ノードは、前記第１パラメータに基づいて送信する信号または信号グループをスクランブリングする。
【００７８】
ステップＳ５０６において、前記第２伝送ノードは、スクランブリングした信号または信号グループを前記第１伝送ノードに送信する。
【００７９】
他の実施例において、前記第２伝送ノードは、前記第１パラメータに基づいて送信する信号または信号グループをスクランブリングすることは、前記第２伝送ノードは、前記第１パラメータに基づいて送信する信号または信号グループをスクランブリングするシーケンスを生成することと、生成されたシーケンスに基づいて送信する信号または信号グループをスクランブリングすることとを含む。
【００８０】
他の実施例において、前記方法は、前記第２伝送ノードが、送信する信号を第１規則に従ってＹ個の信号グループに区分することを更に含み、ここで、Ｙは１以上の整数である。
【００８１】
他の実施例において、前記第１規則は、少なくとも、
信号に対応する伝送レイヤに従って区分することと、
信号に対応する復調パイロットに従って区分することと、
信号に対応するＱＣＬ関係に従って区分することと、
信号に対応するビームに従って区分することと、
信号に関連するＰＴＲＳリソースに従って区分することと、
信号に含まれるＣＢ／ＣＢＧ／ＴＢ番号に従って区分することと、
信号が属するタイムユニット番号に従って区分することと、
信号が属する周波数領域リソースに従って区分することと、
信号が属するコード領域リソースに従って区分することと、
の１つを含む。
【００８２】
他の実施例において、前記方法は、前記第２伝送ノードが、前記第１伝送ノードと前記第２伝送ノードとの間に約束された規則に従って確定するという形態と、前記第２伝送ノードの測定に従って確定するという形態と、前記第１伝送ノードから送信された第Ｘシグナリングに従って確定するという形態により前記第１規則を確定することを更に含む。
【００８３】
他の実施例において、前記方法は、前記第２伝送ノードは受信した第４シグナリングに基づいて、前記第１伝送ノードが前記第３シグナリングを送信するか否か確定することを更に含む。
【００８４】
他の実施例において、前記第４シグナリングは、ＲＲＣシグナリング、ＭＡＣ、シングルレベル物理層シグナリング、およびマルチレベル物理層シグナリングの少なくとも１つを含む。
【００８５】
他の実施例において、前記方法は、
前記第３シグナリングが一部の前記第１パラメータを指示する場合に、前記第２伝送ノードが、
前記第２伝送ノードが第１伝送ノードとの間に約束された規則により確定するという形態と、
前記第２伝送ノードが前記第１伝送ノードによる信号を送信する測定結果に基づいて確定するという形態と、
前記第２伝送ノードがデバイスパラメータに基づいて確定するという形態と、
前記第２伝送ノードが前記第１伝送ノードのフィードバック情報に基づいて確定するという形態と、
の１つの形態により、残りの第１パラメータを確定することであって、１つの第３シグナリングは１つの第１パラメータを指示し、または１つの第３シグナリングは複数の第１パラメータを指示することを更に含む。
【００８６】
他の実施例において、前記信号は、報知情報をキャリアした物理信号、データ情報をキャリアした物理信号、制御情報をキャリアした物理信号、およびパイロット信号の１つを含む。
【００８７】
他の実施例において、前記第１パラメータは、セル識別番号、ユーザ識別番号、ユーザグルーピング番号、コードワード番号、コードワードブロック、コードブロックグループ、スクランブリングコードシーケンス特徴パラメータ、タイムユニット番号、参照信号リソース番号、参照信号ポート番号、参照信号ポートグルーピング番号、および周波数領域リソース番号を含む。
【００８８】
他の実施例において、前記第１シグナリングは、ＲＲＣシグナリング、ＭＡＣ、シングルレベル物理層シグナリング、およびマルチレベル物理層シグナリングの少なくとも１つを含む。
【００８９】
本発明の実施例は、伝送ノード間での送受信信号／信号グループのスクランブリング／デスクランブリング方法とデバイスを提供し、基地局が下り送信信号／信号グループに対するスクランブリングを完了し、シグナリングにより現在のスクランブリングに用いられるパラメータを端末に通知することを含む。
【００９０】
他の実施例において、基地局は下り信号をグルーピングしてもよい。
【００９１】
他の実施例において、基地局はスケジューリング要求に基づいてシグナリングを能動的に送信してもよい。
【００９２】
他の実施例において、基地局は端末から送信された要求を受信した後、該シグナリングを送信してもよい。
【００９３】
他の実施例において、基地局はシグナリングにより通知する必要があるパラメータをセルフで決定してもよい。
【００９４】
他の実施例において、基地局はシグナリングに従って、シグナリングを送信して現在のスクランブリングに用いられるパラメータを端末に通知するか否かを端末に通知してもよい。
【００９５】
他の実施例において、端末は受信したシグナリングに基づいて、基地局が、現在のスクランブリングに用いられるパラメータを端末に通知するためのシグナリングを送信するか否かを確定してもよい。
【００９６】
他の実施例において、端末は受信したシグナリングに基づいて、現在の受信信号／信号グループをデスクランブリングするためのパラメータを確定してもよい。
【００９７】
他の実施例において、端末は基地局と約束された規則に基づいて、現在の信号／信号グループをデスクランブリングするためのパラメータを確定してもよい。
【００９８】
他の実施例において、端末は確定したパラメータによりスクランブリングシーケンスを計算してもよい。
【００９９】
他の実施例において、端末は計算したスクランブリングシーケンスにより受信信号／信号グループに対するデスクランブリングを行ってもよい。
【０１００】
本発明の実施例は、伝送ノード間での送受信信号／信号グループのスクランブリング／デスクランブリング方法とデバイスを更に提供し、基地局はシグナリングにより、現在の上り信号をスクランブリングするためのパラメータを端末に通知し、端末は確定したパラメータによりスクランブリングシーケンスを生成し、上り信号に対するスクランブリングを行うことを含む。
【０１０１】
他の実施例において、基地局はスケジューリング要求に従ってシグナリングを能動的に送信してもよい。
【０１０２】
他の実施例において、基地局は端末から送信された要求を受信した後、該シグナリングを送信してもよい。
【０１０３】
他の実施例において、基地局はシグナリングにより通知する必要があるパラメータをセルフで決定してもよい。
【０１０４】
他の実施例において、基地局はシグナリングに従って、シグナリングを送信して現在のスクランブリングに用いられるパラメータを端末に通知するか否かを端末に通知してもよい。
【０１０５】
他の実施例において、端末は上り信号をグルーピングしてもよい。
【０１０６】
他の実施例において、端末は受信したシグナリングに基づいて、基地局が、現在のスクランブリングに用いられるパラメータを端末に通知するためのシグナリングを送信するか否かを確定してもよい。
【０１０７】
他の実施例において、端末は受信したシグナリングに基づいて、現在の送信信号をスクランブリングするためのパラメータを確定してもよい。
【０１０８】
他の実施例において、端末は基地局と約束された規則に基づいて、現在の送信信号をスクランブリングするためのパラメータを確定してもよい。
【０１０９】
他の実施例において、端末は確定したパラメータによりスクランブリングシーケンスを計算してもよい。
【０１１０】
他の実施例において、端末は計算したスクランブリングシーケンスにより送信信号に対するスクランブリングを行ってもよい。
【０１１１】
本発明の実施例により、基地局がシグナリングにより信号をスクランブリングするためのパラメータを端末に送信するため、基地局／端末は現在の確定されたパラメータに従い、送信データをスクランブリングするか、または受信データをデスクランブリングすることができる。
【０１１２】
本発明の実施例において、前記測定は、測定信号の受信、測定信号の送信、測定結果のフィードバックを含んでもよい。
【０１１３】
前記参照信号リソース番号は、参照信号が占有する時間領域／周波数領域／コード領域または以上のパラメータの結合インデックスであってもよい。
【０１１４】
前記参照信号ポートグルーピング番号は、特定の参照信号ポートのグルーピング規則に従って、伝送に関する参照信号ポートをグルーピングした後、異なるグループを区分するためのインデックスを指す。
【０１１５】
前記参照信号ポートのグルーピング規則は、参照信号の擬似コロケーション（ＱＣＬ）に従ってグルーピングすること、上位層シグナリング構成に従ってグルーピングすること、参照信号の各ポートが占有するリソースに従ってグルーピングすることであってもよい。
【０１１６】
前記デバイスパラメータは、ＲＦリンク識別子、ＲＦリンク数、ＲＦリンク位相雑音、電力増幅率、アンテナ素子特徴、アンテナアレイ特徴、アンテナサブアレイ、時間オフセット、および周波数オフセット等であってもよい。デバイスパラメータも上記パラメータのキャリブレーション情報を含む。
【０１１７】
前記スクランブリングコードシーケンス特徴パラメータは、シーケンスタイプ、シーケンス長、初期化パラメータ、多項式係数等であってもよい。
【０１１８】
前記ビームは、リソース（例えば送信端プリコーディング、受信端プリコーディング、アンテナポート、アンテナウェイトベクトル、アンテナウェイトマトリクス等）であってもよく、ビームシンボルはリソースインデックスに置き換えられてもよく、それはビームがいくつかの時間周波数コードリソースと伝送でのバインディングを行うことができるためである。ビームは伝送（送信／受信）形態であってもよく、前記の伝送形態は空間分割多重、周波数領域／時間領域ダイバーシチ等を含んでもよい。
【０１１９】
前記ビームは、リソース（例えば送信端プリコーディング、受信端プリコーディング、アンテナポート、アンテナウェイトベクトル、アンテナウェイトマトリクス等）であってもよく、ビームシンボルはリソースインデックスに置き換えられてもよく、それはビームがいくつかの時間周波数コードリソースと伝送でのバインディングを行うことができるためである。ビームは伝送（送信／受信）形態であってもよく、前記の伝送形態は空間分割多重、周波数領域／時間領域ダイバーシチ等を含んでもよい。
【０１２０】
前記参照信号の擬似コロケーション（ＱＣＬ）関係とは、参照信号を受信、送信する際に用いるリソース（例えば、時間領域、周波数領域）、アンテナポートの間が満たした擬似コロケーションの想定を指す。異なる擬似コロケーションの想定は、少なくとも、ドップラースプレッド、ドップラーシフト、遅延拡張、平均遅延および平均利得というパラメータまたはパラメータサブセットに対応し、到来角、受信ビームの空間的相関性、平均遅延、時間周波数チャネル応答の相関性（位相情報を含む）のような空間パラメータ情報を含む可能性もある。
【０１２１】
本発明の実施例における前記第１伝送ノード、第２伝送ノードは基地局、端末、伝送ノード、中継等であってもよい。
【０１２２】
以下、図面および実施例を参照しながら本発明を詳細に説明する。なお、矛盾しない限り、本発明の実施例と実施例における特徴は、互いに任意に組み合わせることができる。
【０１２３】
なお、本発明の明細書、特許請求の範囲および上記図面における「第１」、「第２」という用語等は、類似する対象を区別するためのものであり、必ずしも特定の順序や優先順位を記述するためのものではない。
【０１２４】
（例１）
本実施例において、通信ノード間で信号をスクランブリング／デスクランブリングする方法を提供し、図６は本発明の実施例による通信ノード間で信号をスクランブリング／デスクランブリングするフローチャート１であり、図６に示すように、該フローは以下のステップを含む。
【０１２５】
ステップ１において、基地局は送信信号の内容を確定する。
【０１２６】
ステップ２において、基地局はスクランブリングパラメータを確定する。
【０１２７】
ステップ３において、基地局は送信信号をスクランブリングする。
【０１２８】
ステップ４：基地局はスクランブリング信号を送信し、且つ基地局はスクランブリング用のパラメータを送信する。
【０１２９】
ステップ５：端末は基地局による送信信号を受信し、且つスクランブリングパラメータを確定する。
【０１３０】
ステップ６：端末は受信信号をデスクランブリングする。
【０１３１】
他の実施例において、本実施例において、基地局が確定した送信信号は、報知情報をキャリアした物理信号、データ情報をキャリアした物理信号、制御情報をキャリアした物理信号、およびパイロット信号の１つであってもよい。
【０１３２】
本実施例において、基地局が確定したスクランブリングパラメータは、セル識別番号、ユーザ識別番号、ユーザグルーピング番号、コードワード番号（ｃｏｄｅ  ｗｏｒｄ）、コードワードブロック（ｃｏｄｅ  ｂｌｏｃｋ）、コードブロックグループ（ｃｏｄｅ  ｂｌｏｃｋ  ｇｒｏｕｐ）、スクランブリングコードシーケンス特徴パラメータ、タイムユニット番号、参照信号リソース番号、参照信号ポート番号、参照信号ポートグルーピング番号、および周波数領域リソース番号の１つを含む。
【０１３３】
他の実施例において、ユーザ識別番号は、ユーザネットワーク識別番号およびユーザセル内識別番号の１つであってもよい。
【０１３４】
他の実施例において、セル識別番号は、物理セルインデックスおよび仮想セルインデックスの１つであってもよい。
【０１３５】
他の実施例において、タイムユニット番号は、信号伝送時に現在のキャリア間隔を基準として占有したシンボル／スロット／サブフレーム／フレームのインデックスと、信号伝送時に指定された参照キャリア間隔を基準として占有したシンボル／スロット／サブフレーム／フレームのインデックスと、信号伝送時に指定された参照信号スタートシンボル／スロット／サブフレーム／フレームのインデックスを基準として占有したシンボル／スロット／サブフレーム／フレームのインデックスとの１つであってもよい。
【０１３６】
他の実施例において、参照キャリア間隔が指定された場合、第ｉ個の信号をスクランブリングする時に使用するシンボル／スロット／サブフレーム／フレームのインデックスは、以下の式で計算され得る。
【数１】
2021503837.tif 000003
または
【数２】
2021503837.tif 000004
ただし、ｎｉおよびＳＣＳｉは、それぞれ第ｉ個の信号が、所有したキャリア間隔を基準とする場合に占有したシンボル／スロット／サブフレーム／フレームのインデックスおよび所有したキャリア間隔を表す。ＳＣＳｒｅｆは指定された参照キャリア間隔である。
【０１３７】
他の実施例において、参照キャリア間隔が指定された場合、第ｉ個の信号をスクランブリングする時に使用するシンボル／スロット／サブフレーム／フレームのインデックスは、以下の式で計算され得る。
【数３】
2021503837.tif 000005
ただし、ｎｉは、第ｉ個の信号が所有したキャリア間隔を基準とする場合に占有したシンボル／スロット／サブフレーム／フレームのインデックスおよび所有したキャリア間隔を表す。Ｌは、指定された第ｉ個の信号の全ての参照キャリア間隔と参照キャリア間隔との間の比率である。
【０１３８】
他の実施例において、参照キャリア間隔が指定され、且つ第ｉ個の信号の所有したキャリア間隔と参照キャリア間隔との間の比率がＧ（Ｇは０以外の正の整数である）のＨ乗関係である場合、第ｉ個の信号をスクランブリングする時に使用するシンボル／スロット／サブフレーム／フレームのインデックスは、以下の式で計算され得る。
【数４】
2021503837.tif 000006
ただし、ｎｉは、第ｉ個の信号が所有したキャリア間隔を基準とする場合に占有したシンボル／スロット／サブフレーム／フレームのインデックスおよび所有したキャリア間隔を表す。Ｎｉは、第ｉ個の信号のサブキャリアインデックスであり、Ｍｒｅｆは、指定された参照キャリアインデックスである。
【０１３９】
他の実施例において、参照信号スタートシンボル／スロット／サブフレーム／フレームのインデックスを基準として指定した場合、第ｉ個の信号をスクランブリングする時に使用するシンボル／スロット／サブフレーム／フレームのインデックスは、以下の式で計算され得る。
【数５】
2021503837.tif 000007
ただし、ｎｉは、第ｉ個の信号が所有したキャリア間隔を基準とする場合に占有したシンボル／スロット／サブフレーム／フレームのインデックスおよび所有したキャリア間隔を表す。ｎｒｅｆは、指定された参照信号が占有したシンボル／スロット／サブフレーム／フレームのインデックスである。
【０１４０】
他の実施例において、基準として用いられる参照信号が占有したシンボル／スロット／サブフレーム／フレームのインデックスは、参照信号が占有したスタート／エンドシンボル／スロット／サブフレーム／フレームのインデックスであってもよい。
【０１４１】
他の実施例において、シンボル／スロット／サブフレーム／フレームのインデックスのスタート位置は、現在の信号の実際伝送が占有したタイムユニット番号および指定されたタイムユニット番号の１つであってもよい。
【０１４２】
他の実施例において、周波数領域リソース番号は、キャリア番号、サブバンド番号、および帯域ブロック番号（ｂａｎｄｗｉｄｔｈ  ｐａｒｔ、ＢＷＰと略称する）の１つであってもよい。
【０１４３】
他の実施例において、参照信号は、同期信号、チャネル測定参照信号、復調参照信号、および位相雑音補償参照信号の１つであってもよい。
【０１４４】
他の実施例において、基地局の、報知情報をキャリアした物理信号をスクランブリングするためのパラメータは、少なくとも、｛セル識別番号｝、｛セル識別番号，タイムユニット番号｝という組み合わせの１つを含む。
【０１４５】
他の実施例において、基地局の、パイロット信号をスクランブリングするためのパラメータは、少なくとも、｛セル識別番号｝、｛セル識別番号，参照信号リソース番号｝、｛セル識別番号，参照信号ポート番号｝、｛参照信号ポートグルーピング番号｝という組み合わせの１つを含む。
【０１４６】
他の実施例において、基地局の、データ情報をキャリアした物理信号をスクランブリングするためのパラメータは、少なくとも、｛セル識別番号，ユーザ識別番号，コードワード番号｝、｛ユーザ識別番号，コードワード番号，復調参照信号ポートグルーピング番号｝、｛ユーザ識別番号，コードワード番号，復調参照信号ポート番号｝、｛ユーザ識別番号，タイムユニット番号，復調参照信号ポートグルーピング番号｝、｛ユーザ識別番号，タイムユニット番号，コードブロックグループ，復調参照信号ポートグルーピング番号｝という組み合わせの１つを含む。
【０１４７】
本実施例において、基地局はシグナリングを用いて全てのスクランブリングパラメータまたは一部のスクランブリングパラメータを送信してもよい。
【０１４８】
ここで、好ましくは、スクランブリングに必要なパラメータは、送受信端に約束された基準が確定されているという条件と、パラメータが端末の既知情報であり、ここで、既知情報はスケジューリング情報であってもよいという条件と、パラメータが端末のフィードバック結果であるという条件と、パラメータが端末のデバイスパラメータであるという条件の１つに該当すると、基地局はシグナリングにより指示する必要がない。
【０１４９】
他の実施例において、端末は基地局が割り当てた復調参照信号ポート／ポート指示情報に従って、復調信号ポートグループ番号またはポート番号を取得してもよい。
【０１５０】
他の実施例において、基地局が上記シグナリングを送信するか否かは、他のシグナリングにより制御されてもよい。
【０１５１】
他の実施例において、ステップ７を更に含み、ステップ７において、基地局はスクランブリングパラメータを送信し、基地局が送信する必要のあるスクランブリングパラメータは、｛ユーザ識別番号、セル識別番号｝、｛ユーザ識別番号，復調参照信号ポートグルーピング番号｝、｛復調参照信号ポートグルーピング番号｝の１つであってもよい。
【０１５２】
他の実施例において、ステップ８を更に含み、ステップ８において、端末はスクランブリングパラメータを確定し、端末は確定したスクランブリングパラメータに従って、スクランブリングシーケンスの初期化値を生成する。
【０１５３】
他の実施例において、端末は確定したスクランブリングパラメータに従って、スクランブリングコードシーケンスを生成し、且つ受信信号をデスクランブリングする。
【０１５４】
他の実施例において、端末は確定したスクランブリングパラメータに従って、受信した信号をデスクランブリングする。
【０１５５】
（例２）
本実施例において、通信ノード間で信号をスクランブリング／デスクランブリングする方法を提供し、図７は本発明の実施例による通信ノード間で信号をスクランブリング／デスクランブリングするフローチャート２であり、図７に示すように、該フローは以下のステップを含む。
【０１５６】
ステップ１において、基地局はスクランブリングパラメータを確定する。
【０１５７】
ステップ２において、基地局はスクランブリングパラメータを送信する。
【０１５８】
ステップ３において、端末はスクランブリングパラメータを確定する。
【０１５９】
ステップ４において、端末は送信信号をスクランブリングする。
【０１６０】
ステップ５において、端末はスクランブリングした信号を送信する。
【０１６１】
ステップ６において、基地局はスクランブリングされた信号を受信してデスクランブリングする。
【０１６２】
本実施例において、基地局により確定された送信信号は、報知情報をキャリアした物理信号、データ情報をキャリアした物理信号と、制御情報をキャリアした物理信号、およびパイロット信号の１つであってもよい。
【０１６３】
本実施例において、基地局により確定されたスクランブリングパラメータは、セル識別番号、ユーザ識別番号、ユーザグルーピング番号、コードワード番号（ｃｏｄｅ  ｗｏｒｄ）、コードワードブロック（ｃｏｄｅ  ｂｌｏｃｋ）、コードブロックグループ（ｃｏｄｅ  ｂｌｏｃｋ  ｇｒｏｕｐ）、スクランブリングコードシーケンス特徴パラメータ、タイムユニット番号、参照信号リソース番号、参照信号ポート番号、参照信号ポートグルーピング番号、および周波数領域リソース番号の１つを含む。
【０１６４】
ここで、ユーザ識別番号は、ユーザネットワーク識別番号およびユーザセル内識別番号の１つであってもよい。
【０１６５】
ここで、セル識別番号は、物理セルインデックスおよび仮想セルインデックスの１つであってもよい。
【０１６６】
他の実施例において、タイムユニット番号は、信号伝送時に現在のキャリア間隔を基準として占有したシンボル／スロット／サブフレーム／フレームのインデックスと、信号伝送時に指定された参照キャリア間隔を基準として占有したシンボル／スロット／サブフレーム／フレームのインデックスと、信号伝送時に指定された参照信号が占有したシンボル／スロット／サブフレーム／フレームのインデックスを基準として占有したシンボル／スロット／サブフレーム／フレームのインデックスとの１つであってもよい。
【０１６７】
他の実施例において、参照キャリア間隔が指定された場合、第ｉ個の信号をスクランブリングする時に使用するシンボル／スロット／サブフレーム／フレームのインデックスは、以下の式で計算され得る。
【数６】
2021503837.tif 000008
または
【数７】
2021503837.tif 000009
ただし、ｎｉおよびＳＣＳｉは、それぞれ第ｉ個の信号が、所有したキャリア間隔を基準とする場合に占有したシンボル／スロット／サブフレーム／フレームのインデックスおよび所有したキャリア間隔を表す。ＳＣＳｒｅｆは指定された参照キャリア間隔である。信号伝送時に指定された参照信号が占有したシンボル／スロット／サブフレーム／フレームのインデックスを基準として占有したシンボル／スロット／サブフレーム／フレームのインデックスである。
【０１６８】
他の実施例において、参照キャリア間隔が指定された場合、第ｉ個の信号をスクランブリングする時に使用するシンボル／スロット／サブフレーム／フレームのインデックスは、以下の式で計算され得る。
【数８】
2021503837.tif 000010
ただし、ｎｉは、第ｉ個の信号が所有したキャリア間隔を基準とする場合に占有したシンボル／スロット／サブフレーム／フレームのインデックスおよび所有したキャリア間隔を表す。Ｌは、指定された第ｉ個の信号の所有した参照キャリア間隔と参照キャリア間隔との間の比率である。
【０１６９】
他の実施例において、参照キャリア間隔が指定され、且つ第ｉ個の信号の所有したキャリア間隔と参照キャリア間隔との間の比率がＧ（Ｇは０以外の正の整数である）のＨ乗関係である場合、第ｉ個の信号をスクランブリングする時に使用するシンボル／スロット／サブフレーム／フレームのインデックスは、以下の式で計算され得る。
【数９】
2021503837.tif 000011
ただし、ｎｉは、第ｉ個の信号が所有したキャリア間隔を基準とする場合に占有したシンボル／スロット／サブフレーム／フレームのインデックスおよび所有したキャリア間隔を表す。Ｎｉは、第ｉ個の信号のサブキャリアインデックスであり、Ｍｒｅｆは、指定された参照キャリアインデックスである。
【０１７０】
他の実施例において、参照信号スタートシンボル／スロット／サブフレーム／フレームのインデックスを基準として指定した場合、第ｉ個の信号をスクランブリングする時に使用するシンボル／スロット／サブフレーム／フレームのインデックスは、以下の式で計算され得る。
【数１０】
2021503837.tif 000012
ただし、ｎｉは、第ｉ個の信号が所有したキャリア間隔を基準とする場合に占有したシンボル／スロット／サブフレーム／フレームのインデックスおよび所有したキャリア間隔を表す。ｎｒｅｆは、指定された参照信号が占有したシンボル／スロット／サブフレーム／フレームのインデックスである。
【０１７１】
他の実施例において、基準として用いられる参照信号が占有したシンボル／スロット／サブフレーム／フレームのインデックスは、参照信号が占有したスタート／エンドシンボル／スロット／サブフレーム／フレームのインデックスであってもよい。
【０１７２】
他の実施例において、シンボル／スロット／サブフレーム／フレームのインデックスのスタート位置は、現在の信号の実際伝送が占有したタイムユニット番号および指定されたタイムユニット番号の１つであってもよい。
【０１７３】
他の実施例において、周波数領域リソース番号は、キャリア番号、サブバンド番号、および帯域ブロック番号（ｂａｎｄｗｉｄｔｈ  ｐａｒｔ、ＢＷＰ）の１つであってもよい。
【０１７４】
他の実施例において、参照信号は、同期信号、チャネル測定参照信号、復調参照信号、および位相雑音補償参照信号の１つであってもよい。
【０１７５】
他の実施例において、基地局の、パイロット信号をスクランブリングするためのパラメータは、少なくとも、｛セル識別番号｝、｛セル識別番号，参照信号リソース番号｝、｛セル識別番号，参照信号ポート番号｝、｛参照信号ポートグルーピング番号｝という組み合わせの１つを含むことを確定する。
【０１７６】
他の実施例において、端末は基地局が割り当てた復調参照信号ポート／ポート指示情報に従って、復調信号ポートグループ番号またはポート番号を取得してもよい。
【０１７７】
他の実施例において、基地局の、データ情報をキャリアした物理信号をスクランブリングするためのパラメータは、少なくとも｛セル識別番号，ユーザ識別番号，コードワード番号｝、｛ユーザ識別番号，コードワード番号，復調参照信号ポートグルーピング番号｝、｛ユーザ識別番号，コードワード番号，復調参照信号ポート番号｝、｛ユーザ識別番号，タイムユニット番号，復調参照信号ポートグルーピング番号｝、｛ユーザ識別番号，タイムユニット番号，コードブロックグループ，復調参照信号ポートグルーピング番号｝という組み合わせの１つを含むことを確定する。
【０１７８】
本実施例において、基地局はシグナリングを用いて全てのスクランブリングパラメータまたは一部のスクランブリングパラメータを送信してもよい。
【０１７９】
他の実施例において、スクランブリングに必要なパラメータが、送受信端に約束された基準が確定されているという条件と、パラメータが端末の既知情報であるという条件と、パラメータが端末のフィードバック結果であるという条件と、パラメータが端末のデバイスパラメータであるという条件の１つに該当すると、基地局はシグナリングにより指示する必要がない。
【０１８０】
他の実施例において、基地局が上記シグナリングを送信するか否かは、他のシグナリングにより制御されてもよい。
【０１８１】
他の実施例において、端末は確定したスクランブリングパラメータに従って、スクランブリングシーケンスの初期化値を生成する。
【０１８２】
他の実施例において、端末は確定したスクランブリングパラメータに従って、スクランブリングコードシーケンスを生成し、且つ送信信号をスクランブリングする。
【０１８３】
好ましくは、端末は確定したスクランブリングパラメータに従って、送信する信号をスクランブリングする。
【０１８４】
（例３）
本実施例において、通信ノード間で信号をグルーピングおよびスクランブリングする方法を提供する、図８は本発明の実施例による通信ノード間で信号をグルーピングおよびスクランブリングするフローチャートであり、図８に示すように、該フローは以下のステップを含む。
【０１８５】
ステップ１において、伝送ノードは規則に従って信号をグルーピングする。
【０１８６】
ステップ２において、各信号グループにスクランブリングパラメータをそれぞれ確定する。
【０１８７】
本実施例において、基地局により確定された送信信号は、報知情報をキャリアした物理信号、データ情報をキャリアした物理信号、制御情報をキャリアした物理信号、およびパイロット信号の１つであってもよい。
【０１８８】
本実施例において、信号をグルーピングするための規則は、少なくとも、信号に対応する伝送レイヤに従って区分することと、信号に対応する伝送レイヤグループに従って区分することと、信号に対応する復調パイロットに従って区分することと、信号に対応するＱＣＬ関係に従って区分することと、信号に対応するビームに従って区分することと、信号に関連するＰＴＲＳリソースに従って区分することと、信号に含まれるＣＢ／ＣＢＧ／ＴＢ番号に従って区分することと、信号が属するタイムユニット番号に従って区分することと、信号が属する周波数領域リソースに従って区分することと、信号が属するコード領域リソースに従って区分することとの１つを含む。
【０１８９】
本実施例において、確定されたスクランブリングパラメータ、セル識別番号、ユーザ識別番号、ユーザグルーピング番号、コードワード番号（ｃｏｄｅ  ｗｏｒｄ）、コードワードブロック（ｃｏｄｅ  ｂｌｏｃｋ）、コードブロックグループ（ｃｏｄｅ  ｂｌｏｃｋ  ｇｒｏｕｐ）、スクランブリングコードシーケンス特徴パラメータ、タイムユニット番号、参照信号リソース番号、参照信号ポート番号、参照信号ポートグルーピング番号、および周波数領域リソース番号の１つを含む。
【０１９０】
他の実施例において、ユーザ識別番号は、ユーザネットワーク識別番号およびユーザセル内識別番号の１つであってもよい。
他の実施例において、セル識別番号は、物理セルインデックおよび仮想セルインデックスの１つであってもよい。
【０１９１】
他の実施例において、タイムユニット番号は、信号伝送時に現在のキャリア間隔を基準として占有したシンボル／スロット／サブフレーム／フレームのインデックスと、信号伝送時に指定された参照キャリア間隔を基準として占有したシンボル／スロット／サブフレーム／フレームのインデックスと、信号伝送時に指定された参照信号スタートシンボル／スロット／サブフレーム／フレームのインデックスを基準として占有したシンボル／スロット／サブフレーム／フレームのインデックスと、信号伝送時に指定された参照信号が占有したシンボル／スロット／サブフレーム／フレームのインデックスを基準として占有したシンボル／スロット／サブフレーム／フレームのインデックスとの１つであってもよい。
【０１９２】
他の実施例において、参照キャリア間隔が指定された場合、第ｉ個の信号をスクランブリングする時に使用するシンボル／スロット／サブフレーム／フレームのインデックスは、以下の式で計算され得る。
【数１１】
2021503837.tif 000013
または
【数１２】
2021503837.tif 000014
ただし、ｎｉおよびＳＣＳｉは、それぞれ第ｉ個の信号が、所有したキャリア間隔を基準とする場合に占有したシンボル／スロット／サブフレーム／フレームのインデックスおよび所有したキャリア間隔を表す。ＳＣＳｒｅｆは指定された参照キャリア間隔である。
【０１９３】
他の実施例において、参照キャリア間隔が指定された場合、第ｉ個の信号をスクランブリングする時に使用するシンボル／スロット／サブフレーム／フレームのインデックスは、以下の式で計算され得る。
【数１３】
2021503837.tif 000015
ただし、ｎｉは、第ｉ個の信号が所有したキャリア間隔を基準とする場合に占有したシンボル／スロット／サブフレーム／フレームのインデックスおよび所有したキャリア間隔を表す。Ｌは、指定された第ｉ個の信号の所有した参照キャリア間隔と参照キャリア間隔との間の比率である。
【０１９４】
他の実施例において、参照キャリア間隔が指定され、且つ第ｉ個の信号の所有したキャリア間隔と参照キャリア間隔との間の比率がＧ（Ｇは０以外の正の整数である）のＨ乗関係である場合、第ｉ個の信号をスクランブリングする時に使用するシンボル／スロット／サブフレーム／フレームのインデックスは、以下の式で計算され得る。
【数１４】
2021503837.tif 000016
ただし、ｎｉは、第ｉ個の信号が所有したキャリア間隔を基準とする場合に占有したシンボル／スロット／サブフレーム／フレームのインデックスおよび所有したキャリア間隔を表す。Ｎｉは、第ｉ個の信号のサブキャリアインデックスであり、Ｍｒｅｆは、指定された参照キャリアインデックスである。
【０１９５】
ここで、参照信号スタートシンボル／スロット／サブフレーム／フレームのインデックスを基準として指定した場合、第ｉ個の信号をスクランブリングする時に使用するシンボル／スロット／サブフレーム／フレームのインデックスは、以下の式で計算され得る。
【数１５】
2021503837.tif 000017
ただし、ｎｉは、第ｉ個の信号が所有したキャリア間隔を基準とする場合に占有したシンボル／スロット／サブフレーム／フレームのインデックスおよび所有したキャリア間隔を表す。ｎｒｅｆは、指定された参照信号が占有したシンボル／スロット／サブフレーム／フレームのインデックスである。
【０１９６】
他の実施例において、基準として用いられる参照信号が占有したシンボル／スロット／サブフレーム／フレームのインデックスは、参照信号が占有したスタート／エンドシンボル／スロット／サブフレーム／フレームのインデックスであってもよい。
【０１９７】
他の実施例において、シンボル／スロット／サブフレーム／フレームのインデックスのスタート位置は、現在の信号の実際伝送が占有したタイムユニット番号および指定されたタイムユニット番号の１つであってもよい。
【０１９８】
他の実施例において、参照信号は、同期信号、チャネル測定参照信号、復調参照信号、および位相雑音補償参照信号の１つであってもよい。
【０１９９】
他の実施例において、信号のグルーピング規則が、信号に対応する伝送レイヤに従って区分することである場合、スクランブリングパラメータは少なくとも参照信号ポート番号を含む。
【０２００】
他の実施例において、端末は基地局が割り当てた復調参照信号ポート／ポート指示情報に従って、復調信号ポートグループ番号またはポート番号を取得してもよい。
【０２０１】
他の実施例において、信号のグルーピング規則が、信号に対応する伝送レイヤグループに従って区分することと、信号に対応する復調パイロットに従って区分することと、信号に対応するＱＣＬ関係に従って区分することと、信号に対応するビームに従って区分することとの１つである場合、スクランブリングパラメータは少なくとも参照信号ポートグルーピング番号を含む。
【０２０２】
他の実施例において、信号のグルーピング規則が、信号に含まれるＣＢ／ＣＢＧ／ＴＢ番号に従って区分することである場合、スクランブリングパラメータは、少なくとも、コードワード番号（ｃｏｄｅｗｏｒｄ）、コードブロック（ｃｏｄｅｂｌｏｃｋ）、コードブロックグループ（ｃｏｄｅｂｌｏｃｋ  ｇｒｏｕｐ）の１つを含む。
【０２０３】
他の実施例において、信号のグルーピング規則が、信号が属するタイムユニット番号に従って区分することである場合、スクランブリングパラメータは少なくともタイムユニット番号を含む。
【０２０４】
他の実施例において、信号のグルーピング規則が、信号が属する周波数領域リソースに従って区分することである場合、スクランブリングパラメータは少なくとも周波数領域リソース番号を含む。
【０２０５】
他の実施例において、複数の信号グループは、セル識別番号およびユーザ識別番号というパラメータの１つを共有してもよい。
【実施例５】
【０２０６】
本発明の別の実施例によれば、第１伝送ノードに適用される信号スクランブリング装置を更に提供し、図９は本発明の実施例による信号スクランブリング装置のブロック図１であり、図９に示すように、
送信する信号または信号グループをスクランブリングするための第１パラメータを確定するように構成される確定モジュール９２と、
前記第１パラメータに基づいて前記信号または信号グループをスクランブリングするように構成される第１スクランブリングモジュール９４と、
スクランブリングした信号または信号グループを第２伝送ノードに送信し、一部または全ての前記第１パラメータを第１シグナリングにより前記第２伝送ノードに通知するように構成される第１送信モジュール９６と、
を備える。
【実施例６】
【０２０７】
本発明の別の実施例によれば、第１伝送ノードに適用される信号デスクランブリング装置を更に提供し、図１０は本発明の実施例による信号デスクランブリング装置のブロック図１であり、図１０に示すように、
第２伝送ノードが送信する信号または信号グループをスクランブリングするための一部または全ての第１パラメータを第３シグナリングにより前記第２伝送ノードに通知するように構成される通知モジュール１０２と、
前記第２伝送ノードから送信されたスクランブリングされた信号または信号グループを受信するように構成される第１受信モジュール１０４と、
前記第１パラメータに基づいて前記第２伝送ノードから送信された信号または信号グループをデスクランブリングするように構成される第１デスクランブリングモジュール１０６と、
を備える。
【実施例７】
【０２０８】
本発明の更なる実施例によれば、第２伝送ノードに適用される信号デスクランブリング装置を更に提供し、図１１は本発明の実施例による信号デスクランブリング装置のブロック図２であり、図１１に示すように、
第１伝送ノードから送信された、第１パラメータに基づいてスクランブリングされた信号または信号グループを受信し、前記第１伝送ノードが第１シグナリングにより送信した一部または全ての前記第１パラメータを受信するように構成される第２受信モジュール１１２と、
前記第１パラメータに基づいて受信した信号または信号グループをデスクランブリングするように構成される第２デスクランブリングモジュール１１４と、
を備える。
【実施例８】
【０２０９】
本発明の更なる実施例によれば、第２伝送ノードに適用される信号スクランブリング装置を更に提供し、図１２は本発明の実施例による信号スクランブリング装置のブロック図２であり、図１２に示すように、
第１伝送ノードが第３シグナリングにより送信した一部または全ての第１パラメータを受信するように構成される第３受信モジュール１２２と、
前記第１パラメータに基づいて送信する信号または信号グループをスクランブリングするように構成される第２スクランブリングモジュール１２４と、
スクランブリングした信号または信号グループを前記第１伝送ノードに送信するように構成される第２送信モジュール１２６と、
を備える。
【実施例９】
【０２１０】
本発明の実施例は、記憶されたプログラムを含む記憶媒体であって、プログラムが作動されると、上記いずれか１項に記載の方法を実行する記憶媒体を更に提供する。
【０２１１】
他の実施例において、上記記憶媒体は、
Ｓ１１、第１伝送ノードは、送信する信号または信号グループをスクランブリングするための第１パラメータを確定するステップと、
Ｓ１２、前記第１伝送ノードは、前記第１パラメータに基づいて前記信号または信号グループをスクランブリングするステップと、
Ｓ１３、前記第１伝送ノードは、スクランブリングした信号または信号グループを第２伝送ノードに送信し、一部または全ての前記第１パラメータを第１シグナリングにより前記第２伝送ノードに通知するステップと、
を実行するためのプログラムコードを記憶するように構成されてもよい。
【０２１２】
他の実施例において、上記記憶媒体は、
Ｓ２１、第１伝送ノードは、第２伝送ノードが送信する信号または信号グループをスクランブリングするための一部または全ての第１パラメータを第３シグナリングにより前記第２伝送ノードに通知するステップと、
Ｓ２２、前記第１伝送ノードは、前記第２伝送ノードから送信されたスクランブリングされた信号または信号グループを受信するステップと、
Ｓ２３、前記第１伝送ノードは、前記第１パラメータに基づいて前記第２伝送ノードから送信された信号または信号グループをデスクランブリングするステップと、
を実行するためのプログラムコードを記憶するように構成されてもよい。
【０２１３】
他の実施例において、上記記憶媒体は、
Ｓ３１、第２伝送ノードは、第１伝送ノードから送信された、第１パラメータに基づいてスクランブリングされた信号または信号グループを受信し、前記第１伝送ノードが第１シグナリングにより送信した一部または全ての前記第１パラメータを受信するステップと、
Ｓ３２、前記第２伝送ノードは、前記第１パラメータに基づいて受信した信号または信号グループをデスクランブリングするステップと、
を実行するためのプログラムコードを記憶するように構成されてもよい。
【０２１４】
他の実施例において、上記記憶媒体は、
Ｓ４１、第２伝送ノードは、第１伝送ノードが第３シグナリングにより送信した一部または全ての第１パラメータを受信するステップと、
Ｓ４２、前記第２伝送ノードは、前記第１パラメータに基づいて送信する信号または信号グループをスクランブリングするステップと、
Ｓ４３、前記第２伝送ノードは、スクランブリングした信号または信号グループを前記第１伝送ノードに送信するステップと、
を実行するためのプログラムコードを記憶するように構成されてもよい。
【０２１５】
本実施例において、上記記憶媒体は、ＵＳＢ、読み出し専用メモリ（Ｒｅａｄ−Ｏｎｌｙ  Ｍｅｍｏｒｙ、ＲＯＭと略称する）、ランダムアクセスメモリ（Ｒａｎｄｏｍ  Ａｃｃｅｓｓ  Ｍｅｍｏｒｙ、ＲＡＭと略称する）、リムーバブルハードディスク、磁気ディスクまたは光ディスク等の様々なプログラムコードを記憶可能な媒体を含んでもよいが、これらに限定されない。
【実施例１０】
【０２１６】
本発明の実施例は、プログラムが作動されると、上記いずれか１項の方法におけるステップを実行するプログラムを作動させるためのプロセッサを更に提供する。
【０２１７】
他の実施例において、上記プログラムは、
Ｓ５１、第１伝送ノードは、送信する信号または信号グループをスクランブリングするための第１パラメータを確定するステップと、
Ｓ５２、前記第１伝送ノードは、前記第１パラメータに基づいて前記信号または信号グループをスクランブリングするステップと、
Ｓ５３、前記第１伝送ノードは、スクランブリングした信号または信号グループを第２伝送ノードに送信し、一部または全ての前記第１パラメータを第１シグナリングにより前記第２伝送ノードに通知するステップと、
を実行するために用いられる。
【０２１８】
他の実施例において、上記プログラムは、更に、
Ｓ６１、第１伝送ノードは、第２伝送ノードが送信する信号または信号グループをスクランブリングするための一部または全ての第１パラメータを第３シグナリングにより前記第２伝送ノードに通知するステップと、
Ｓ６２、前記第１伝送ノードは、前記第２伝送ノードから送信されたスクランブリングされた信号または信号グループを受信するステップと、
Ｓ６３、前記第１伝送ノードは、前記第１パラメータに基づいて前記第２伝送ノードから送信された信号または信号グループをデスクランブリングするステップと、
を実行するために用いられる。
【０２１９】
他の実施例において、上記プログラムは、更に、
Ｓ７１、第２伝送ノードは、第１伝送ノードから送信された、第１パラメータに基づいてスクランブリングされた信号または信号グループを受信し、前記第１伝送ノードが第１シグナリングにより送信した一部または全ての前記第１パラメータを受信するステップと、
Ｓ７２、前記第２伝送ノードは、前記第１パラメータに基づいて受信した信号または信号グループをデスクランブリングするステップと、
を実行するために用いられる。
【０２２０】
他の実施例において、上記プログラムは、更に、
Ｓ８１、第２伝送ノードは、第１伝送ノードが第３シグナリングにより送信した一部または全ての第１パラメータを受信するステップと、
Ｓ８２、前記第２伝送ノードは、前記第１パラメータに基づいて送信する信号または信号グループをスクランブリングするステップと、
Ｓ８３、前記第２伝送ノードは、スクランブリングした信号または信号グループを前記第１伝送ノードに送信するステップと、
を実行するために用いられる。
【０２２１】
好ましくは、本実施例における具体的な例は、上記実施例および好ましい実施形態に説明した例を参照することができ、本実施例では説明を省略する。
【０２２２】
本発明の実施例は、メモリとプロセッサとを備える信号スクランブリングまたはデスクランブリングデバイスであって、前記メモリにプロセッサで作動可能なコンピュータプログラムが記憶され、前記プロセッサは、前記プログラムを実行すると、前記方法を実現する信号スクランブリングまたはデスクランブリングデバイスを更に提供する。
【０２２３】
上述した分離部材として説明したユニットは、物理的に分離したものであってもなくてもよく、ユニットとして表示される部材は、物理ユニットであってもなくてもよく、１箇所に位置してもよく、複数のネットワークユニットに分布されてもよく、実際の必要に応じてそのうちの一部または全てのユニットを選択して本実施形態の目的を実現してもよい。また、各機能ユニットは、全て１つの処理ユニットに集積してもよく、各ユニットがそれぞれ単独に１つのユニットとしてもよく、２つまたは２つ以上のユニットが１つのユニットに集積してもよく、上記集積されたユニットは、ハードウェアの形で実現されてもよく、ハードウェア＋ソフトウェア機能ユニットの形で実現されてもよい。
【０２２４】
上記方法の実施例の全てまたは一部のステップの実現は、プログラムが関連するハードウェアを命令することにより行うことができ、上述したプログラムはコンピュータ可読記憶媒体に記憶でき、該プログラムは実行時に上記方法の実施例を含むステップを実行する。上述した記憶媒体は、リムーバブルストレージ装置、読み出し専用メモリ、磁気ディスクまたは光ディスク等の様々なプログラムコードを記憶可能な媒体を含む。または、本発明の上記集積されたユニットは、ソフトウェア機能モジュールの形で実現されて独立した製品として販売または使用する場合、１つのコンピュータ可読記憶媒体に記憶されてもよいことが、当業者であれば理解できる。このような理解に基づき、本発明の実施例の技術案は、本質的に、または従来技術に貢献する部分が、ソフトウェア製品の形で具現化でき、該コンピュータソフトウェア製品は１つの記憶媒体に記憶され、１台のコンピューティングデバイス（パーソナルコンピュータ、サーバ、またはネットワークデバイス等であってもよい）に本発明の各実施例に係る方法の全てまたは一部を実行させるための複数の命令を含む。上述した記憶媒体は、リムーバブルストレージ装置、ＲＯＭ、磁気ディスクまたは光ディスク等の様々なプログラムコードを記憶可能な媒体を含む。
【０２２５】
以上の説明は、本発明の実施形態に過ぎないが、本発明の保護範囲はこれに限定されるものではなく、当業者が本発明に開示された技術的範囲内に容易に想到可能な変更または置換は、全て本発明の保護範囲内に含まれるべきである。そのため、本発明の保護範囲は特許請求の範囲に準じるべきである。
【図１】
2021503837.tif 000018
【図２】
2021503837.tif 000019
【図３】
2021503837.tif 000020
【図４】
2021503837.tif 000021
【図５】
2021503837.tif 000022
【図６】
2021503837.tif 000023
【図７】
2021503837.tif 000024
【図８】
2021503837.tif 000025
【図９】
2021503837.tif 000026
【図１０】
2021503837.tif 000027
【図１１】
2021503837.tif 000028
【図１２】
2021503837.tif 000029
【手続補正書】
【提出日】令和2年6月10日(2020.6.10)
【手続補正１】
【補正対象書類名】明細書
【補正対象項目名】００３７
【補正方法】変更
【補正の内容】
【００３７】
信号に含まれるコードブロック（ｃｏｄｅ  ｂｌｏｃｋ、ＣＢ）／コードブロックグループ（ｃｏｄｅ  ｂｌｏｃｋ  ｇｒｏｕｐ、ＣＢＧ）／伝送ブロック（Ｔｒａｎｓｍｉｓｓｉｏｎ  ｂｌｏｃｋ、ＴＢ）／コードワード（Ｃｏｄｅ  ｗｏｒｄ、ＣＷ）番号に従って区分する。
他の実施例において、送信信号が同一のコードブロック／コードブロックグループ／伝送ブロック／コードワードに由来すると、これらの信号を１グループに分け、
他の実施例において、同一クループに分けられた信号は１つのコードブロック／コードブロックグループ／伝送ブロック／コードワードインデックスを共有し、スクランブリングコードを生成する時に該インデックスを使用する。
【手続補正２】
【補正対象書類名】明細書
【補正対象項目名】０１６７
【補正方法】変更
【補正の内容】
【０１６７】
他の実施例において、参照キャリア間隔が指定された場合、第ｉ個の信号をスクランブリングする時に使用するシンボル／スロット／サブフレーム／フレームのインデックスは、以下の式で計算され得る。
【数６】
2021503837.tif 000030
または
【数７】
2021503837.tif 000031
ただし、ｎｉおよびＳＣＳｉは、それぞれ第ｉ個の信号が、所有したキャリア間隔を基準とする場合に占有したシンボル／スロット／サブフレーム／フレームのインデックスおよび所有したキャリア間隔を表す。ＳＣＳｒｅｆは指定された参照キャリア間隔である。信号伝送時に指定された参照信号が占有したシンボル／スロット／サブフレーム／フレームのインデックスを基準として占有したシンボル／スロット／サブフレーム／フレームの参照信号が占有したインデックスである。
【手続補正３】
【補正対象書類名】明細書
【補正対象項目名】０１９１
【補正方法】変更
【補正の内容】
【０１９１】
他の実施例において、タイムユニット番号は、信号伝送時に現在のキャリア間隔を基準として占有したシンボル／スロット／サブフレーム／フレームのインデックスと、信号伝送時に指定された参照キャリア間隔を基準として占有したシンボル／スロット／サブフレーム／フレームのインデックスと、信号伝送時に指定された参照信号スタートシンボル／スロット／サブフレーム／フレームのインデックスを基準として占有したシンボル／スロット／サブフレーム／フレームのインデックスと、信号伝送時に指定された参照信号が占有したシンボル／スロット／サブフレーム／フレームのインデックスを基準として占有したシンボル／スロット／サブフレーム／フレームの参照信号が占有したインデックスとの１つであってもよい。
【手続補正４】
【補正対象書類名】特許請求の範囲
【補正対象項目名】全文
【補正方法】変更
【補正の内容】
【特許請求の範囲】
【請求項１】
第１伝送ノードは、送信する信号または信号グループをスクランブリングするための第１パラメータを確定するステップＳ２０２と、
前記第１伝送ノードは、前記第１パラメータに基づいて前記信号または信号グループをスクランブリングするステップＳ２０４と、
前記第１伝送ノードは、スクランブリングした信号または信号グループを第２伝送ノードに送信し、一部または全ての前記第１パラメータを第１シグナリングにより前記第２伝送ノードに通知するステップＳ２０６と、
を含む、信号スクランブリング方法。
【請求項２】
前記第１伝送ノードが前記第１パラメータに基づいて信号または信号グループをスクランブリングすることは、
前記第１伝送ノードは、前記第１パラメータに基づいて信号または信号グループをスクランブリングするシーケンスを生成することと、
生成されたシーケンスに基づいて信号または信号グループをスクランブリングすることと、
を含む、請求項１に記載の信号スクランブリング方法。
【請求項３】
第１伝送ノードが送信する信号グループをスクランブリングするための第１パラメータを確定する前に、
前記第１伝送ノードは、送信する信号を、第１規則に従ってＸ（Ｘは１以上の整数である）個の信号グループに区分することを更に含み、
前記第１規則は、少なくとも、
信号に対応する伝送レイヤに従って区分することと、
信号に対応する復調パイロットに従って区分することと、
信号に対応する擬似コロケーションＱＣＬ関係に従って区分することと、
信号に対応するビームに従って区分することと、
信号に関連する位相雑音測定パイロットＰＴＲＳリソースに従って区分することと、
信号に含まれるコードブロック／ブロックグループ／伝送ブロック／コードワード（ＣＢ／ＣＢＧ／ＴＢ／ＣＷ）番号に従って区分することと、
信号が属する周波数領域リソースに従って区分することと、
信号が属するコード領域リソースに従って区分することと、
の１つを含む、請求項１に記載の信号スクランブリング方法。
【請求項４】
前記第１伝送ノードは、
前記第１伝送ノードと前記第２伝送ノードとの間に約束された規則に従って確定するという形態と、
前記第２伝送ノードのフィードバック情報に従って確定するという形態と、
前記第１伝送ノードの既知情報および前記第２伝送ノードのフィードバック情報に従って確定するという形態と、
前記第１伝送ノードの既知情報に従って確定するという形態と、
の１つの形態により、前記第１規則を確定する、請求項３に記載の信号スクランブリング方法。
【請求項５】
前記第１シグナリングが一部の前記第１パラメータを指示する場合に、１つの第１シグナリングは１つの第１パラメータを指示し、または１つのシグナリングは複数の第１パラメータを指示し、
残りの第１パラメータは、前記第１伝送ノードと前記第２伝送ノードとの間に約束された規則により確定され、または、
残りの第１パラメータは前記第２伝送ノードの既知情報であり、または、
残りの第１パラメータは前記第２伝送ノードのフィードバック情報であり、または、
前記第１シグナリングの送信は第２シグナリングによりオフにされる、請求項１に記載の信号スクランブリング方法。
【請求項６】
前記方法は、
前記第１伝送ノードおよび前記第２伝送ノードに約束された規則によりイネーブルされる形態の条件と、
前記第１シグナリングの送信が第２シグナリングによりイネーブルされる形態の条件と、
の１つの条件を満たした場合に、前記第１シグナリングは上記の１つの形態によりイネーブルされることを更に含む、請求項１に記載の信号スクランブリング方法。
【請求項７】
前記信号は、報知情報をキャリアした物理信号、データ情報をキャリアした物理信号、制御情報をキャリアした物理信号、およびパイロット信号の１つを含み、
前記第１パラメータは、
セル識別番号、ユーザ識別番号、ユーザグルーピング番号、コードワード番号、コードワードブロック、コードブロックグループ、スクランブリングコードシーケンス特徴パラメータ、タイムユニット番号、参照信号リソース番号、参照信号ポート番号、参照信号ポートグルーピング番号、および周波数領域リソース番号を含む、請求項１〜６のいずれか１項に記載の信号スクランブリング方法。
【請求項８】
第２伝送ノードは、第１伝送ノードから送信された、第１パラメータに基づいてスクランブリングされた信号または信号グループを受信し、前記第１伝送ノードが第１シグナリングにより送信した一部または全ての前記第１パラメータを受信するステップＳ４０２と、
前記第２伝送ノードは、前記第１パラメータに基づいて受信した信号または信号グループをデスクランブリングするステップＳ４０６と、
を含む、信号デスクランブリング方法。
【請求項９】
前記第２伝送ノードは、前記第１パラメータに基づいて受信した信号または信号グループをデスクランブリングすることは、
前記第２伝送ノードは、前記第１パラメータに基づいて受信した信号または信号グループをデスクランブリングするシーケンスを生成することと、
生成されたシーケンスに基づいて信号または信号グループをデスクランブリングすることと、
を含む、請求項８に記載の信号デスクランブリング方法。
【請求項１０】
前記第２伝送ノードは受信した第２シグナリングに基づいて、前記第１伝送ノードが前記第１シグナリングを送信するか否かを確定することを更に含む、請求項８に記載の信号デスクランブリング方法。
【請求項１１】
前記第１シグナリングが一部の前記第１パラメータを指示する場合に、前記第２伝送ノードは、
前記第２伝送ノードが第１伝送ノードとの間に約束された規則により確定するという形態と、
前記第２伝送ノードが前記第１伝送ノードによる信号を送信する測定結果に基づいて確定するという形態と、
前記第２伝送ノードが前記第２伝送ノードのフィードバック情報に基づいて確定するという形態と、
前記第２伝送ノードがデバイスパラメータに基づいて確定するという形態と、
前記第２伝送ノードが前記第１伝送ノードのフィードバック情報に基づいて確定するという形態と、
の１つの形態により、残りの第１パラメータを確定することであって、１つの第１シグナリングは１つの第１パラメータを指示し、または１つのシグナリングは複数の第１パラメータを指示することを更に含む、請求項８に記載の信号デスクランブリング方法。
【請求項１２】
第１伝送ノードに適用される信号スクランブリング装置であって、
送信する信号または信号グループをスクランブリングするための第１パラメータを確定するように構成される確定モジュール（９２）と、
前記第１パラメータに基づいて前記信号または信号グループをスクランブリングするように構成される第１スクランブリングモジュール（９４）と、
スクランブリングした信号または信号グループを第２伝送ノードに送信し、一部または全ての前記第１パラメータを第１シグナリングにより前記第２伝送ノードに通知するように構成される第１送信モジュール（９６）と、
を備える、信号スクランブリング装置。
【請求項１３】
第２伝送ノードに適用される信号デスクランブリング装置であって、
第１伝送ノードから送信された、第１パラメータに基づいてスクランブリングされた信号または信号グループを受信し、前記第１伝送ノードが第１シグナリングにより送信した一部または全ての前記第１パラメータを受信するように構成される第２受信モジュール（１１２）と、
前記第１パラメータに基づいて受信した信号または信号グループをデスクランブリングするように構成される第２デスクランブリングモジュール（１１４）と、
を備える、信号デスクランブリング装置。
【請求項１４】
記憶されたプログラムを含む記憶媒体であって、
プログラムが作動されると、請求項１〜１１のいずれか１項に記載の方法を実行する、記憶媒体。
【請求項１５】
メモリ（１０４）とプロセッサ（１０２）とを備える信号スクランブリングまたはデスクランブリングデバイスであって、前記メモリ（１０４）に前記プロセッサ（１０２）で作動可能なコンピュータプログラムが記憶され、前記プロセッサ（１０２）は、前記プログラムを実行すると、請求項１〜１１のいずれか１項に記載の方法を実現する、信号スクランブリングまたはデスクランブリングデバイス。
【国際調査報告】
2021503837.tif 000032
2021503837.tif 000033
2021503837.tif 000034
2021503837.tif 000035